(57)【要約】  表示装置の出力形態設定装置は、出力手段で出力させるコンテンツの出力用識別情報に基づいて、コンテンツに対応する出力形態情報３４０を取得する。出力形態設定装置は、出力形態情報３４０に基づいて、出力切換処理部で設定可能な機能のうち、コンテンツに対して設定されている少なくとも１個の機能を表す機能リスト画像を表示させる。出力形態設定装置は、操作信号に基づいて機能リスト画像で表示された機能の設定を変更する。
2010023750.tif 000002
【特許請求の範囲】
【請求項１】
コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置を用い、
前記コンテンツに対する出力形態の設定状態に関する処理をする出力形態設定方法であって、
前記出力手段で出力させるコンテンツを特定するコンテンツ特定工程と、
前記複数の出力形態のうち少なくとも１個の出力形態の設定状態が記録されるとともに、前記特定したコンテンツに関連付けられた出力形態情報を取得する出力形態情報取得工程と、
前記出力形態情報に基づいて、前記少なくとも１個の出力形態の設定状態を変更可能な状態で表示させる設定状態出力制御工程と、
を実施することを特徴とする出力形態設定方法。
【請求項２】
請求項１に記載の出力形態設定方法において、
前記設定状態出力制御工程では、前記出力形態の推奨設定値および推奨設定範囲のうち少なくとも一方を出力させる
ことを特徴とする出力形態設定方法。
【請求項３】
請求項１に記載の出力形態設定方法において、
前記設定状態出力制御工程では、前記出力形態の設定を調整するためのサンプル画像およびサンプル音声のうち少なくとも一方を出力させる
ことを特徴とする出力形態設定方法。
【請求項４】
請求項１ないし請求項３のいずれかに記載の出力形態設定方法において、
前記コンテンツ特定工程の前に、前記コンテンツを特定するコンテンツ特定情報を取得するコンテンツ特定情報取得工程を実施し、
前記コンテンツ特定工程では、前記コンテンツ特定情報に基づいて前記コンテンツを特定する
ことを特徴とする出力形態設定方法。
【請求項５】
請求項１ないし請求項４のいずれかに記載の出力形態設定方法において、
前記出力形態情報は、所定の前記コンテンツ出力制御装置に関連付けられており、
前記出力形態情報取得工程の前に、前記コンテンツを出力させる前記コンテンツ出力制御装置の前記装置特定情報を取得する装置特定情報取得工程を実施し、
前記出力形態情報取得工程では、前記取得した前記装置特定情報で特定される前記コンテンツ出力制御装置に対応する前記出力形態情報を取得する
ことを特徴とする出力形態設定方法。
【請求項６】
コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置に設けられ、前記コンテンツに対する出力形態の設定状態に関する処理をする出力形態設定装置であって、
前記出力手段で出力させるコンテンツを特定するコンテンツ特定情報を取得するコンテンツ特定情報取得手段と、
前記複数の出力形態のうち少なくとも１個の出力形態の設定状態が記録されるとともに前記取得したコンテンツ特定情報で特定されるコンテンツに関連付けられた出力形態情報を取得する出力形態情報取得手段と、
この取得した出力形態情報に基づく前記設定状態を前記出力手段で出力させる設定状態出力制御手段と、
入力操作に応じた操作信号を出力する入力手段からの前記操作信号に基づいて、前記取得した出力形態情報の前記設定状態を変更する出力形態情報変更手段と、
を具備したことを特徴とする出力形態設定装置。
【請求項７】
請求項６に記載の出力形態設定装置であって、
前記出力形態情報には、前記出力形態の推奨設定値および推奨設定範囲のうち少なくとも一方が記録され、
前記設定状態出力制御手段は、前記取得した出力形態情報に基づく前記推奨設定値および推奨設定範囲のうち少なくとも一方を前記出力手段で出力させる
ことを特徴とする出力形態設定装置。
【請求項８】
請求項６または請求項７に記載の出力形態設定装置において、
前記出力形態情報変更手段は、前記操作信号に基づいて前記取得した出力形態情報に基づく前記設定状態を変更することを認識すると、前記コンテンツの少なくとも一部をサンプルコンテンツとして取得して、前記出力形態を調整した前記サンプルコンテンツを前記出力手段で出力させる
ことを特徴とする出力形態設定装置。
【請求項９】
請求項８に記載の出力形態設定装置において、
前記出力形態情報変更手段は、前記コンテンツ中の前記サンプルコンテンツの位置を特定するサンプル位置特定情報を取得して、この取得したサンプル位置特定情報に基づいて前記コンテンツ取得手段で取得したコンテンツから前記サンプルコンテンツを取得する
ことを特徴とする出力形態設定装置。
【請求項１０】
請求項６ないし請求項９のいずれかに記載の出力形態設定装置において、
前記コンテンツを特定する情報が記録された前記出力形態情報を記憶する出力形態情報記憶手段を具備し、
前記出力形態情報取得手段は、前記コンテンツ特定情報と同一の内容が記録された前記出力形態情報を取得する
ことを特徴とする出力形態設定装置。
【請求項１１】
請求項１０に記載の出力形態設定装置において、
前記コンテンツ特定情報および前記出力形態情報における前記コンテンツを特定するための情報は、前記コンテンツ全体の出力時間、前記コンテンツを構成するチャプタの数、および、前記チャプタの出力時間のうち少なくとも１個に関する内容を有している
ことを特徴とする出力形態設定装置。
【請求項１２】
請求項１０または請求項１１に記載の出力形態設定装置において、
前記出力形態情報取得手段は、前記出力形態情報記憶手段が着脱自在に装着される装着手段を備え、この装着手段に装着された前記出力形態情報記憶手段から前記出力形態情報を取得する
ことを特徴とする出力形態設定装置。
【請求項１３】
コンテンツを取得するコンテンツ取得手段と、
この取得したコンテンツを互いに異なる複数の出力形態を設定した状態で出力手段により出力可能なコンテンツ出力制御手段と、
前記コンテンツに対する出力形態の設定状態に関する処理をする請求項６ないし請求項１２のいずれかに記載の出力形態設定装置と、を具備したコンテンツ出力制御装置と、
このコンテンツ出力制御装置にネットワークを介して接続されたサーバ装置と、を具備し、
前記サーバ装置は、前記コンテンツを前記ネットワークを介して前記コンテンツ出力制御装置へ送信し、
前記コンテンツ取得手段は、前記サーバ装置から前記コンテンツを取得する
ことを特徴とするコンテンツ出力システム。
【請求項１４】
請求項１３に記載のコンテンツ出力システムにおいて、
前記サーバ装置は、前記コンテンツと、複数のコンテンツの配信予定に関する配信予定情報および前記配信予定のコンテンツに関する前記コンテンツ特定情報を有する配信情報と、を前記コンテンツ出力制御装置へ送信し、
前記コンテンツ取得手段は、前記サーバ装置から前記コンテンツを取得し、
前記コンテンツ出力制御装置は、前記サーバ装置から前記配信情報を取得して前記設定状態出力制御手段により前記配信情報に基づく配信予定を前記出力手段で出力させ、前記操作信号に基づいて前記配信予定のコンテンツが選択されたことを認識すると、この選択されたコンテンツの前記出力形態情報を生成する出力形態情報生成手段を具備した
ことを特徴とするコンテンツ出力システム。
【請求項１５】
コンテンツを取得するコンテンツ取得手段、および、この取得したコンテンツを互いに異なる複数の出力形態を設定した状態で出力手段により出力可能なコンテンツ出力制御手段を備えたコンテンツ出力制御装置により出力可能なコンテンツと、
前記コンテンツ出力制御装置を特定する装置特定情報および前記コンテンツに関連付けられて前記複数の出力形態のうち少なくとも１個の出力形態の設定状態を表す出力形態情報、または、前記出力形態情報が記憶されたアドレスに関するアドレス情報と、
が記録されていることを特徴とするコンテンツ記録媒体。
【請求項１６】
請求項１５に記載のコンテンツ記録媒体において、
前記出力形態情報には、前記出力形態の推奨設定値および推奨設定範囲のうち少なくとも一方が記録されている
ことを特徴とするコンテンツ記録媒体。
【請求項１７】
請求項１５または請求項１６に記載のコンテンツ記録媒体において、
前記出力形態情報の前記設定状態を変更するときに、前記出力手段において前記出力形態が調整された状態で出力されるサンプルコンテンツが記録されている
ことを特徴とするコンテンツ記録媒体。
【請求項１８】
請求項１ないし請求項５のいずれかに記載の出力形態設定方法を演算手段に実行させる
ことを特徴とする出力形態設定プログラム。
【請求項１９】
演算手段を請求項６ないし請求項１２のいずれかに記載の出力形態設定装置として機能させる
ことを特徴とする出力形態設定プログラム。
【請求項２０】
請求項１８または請求項１９に記載の出力形態設定プログラムが演算手段にて読取可能に記録された
ことを特徴とする出力形態設定プログラムを記録した記録媒体。
【発明の詳細な説明】
【技術分野】
【０００１】
本発明は、コンテンツに対する出力形態の設定状態に関する処理をする出力形態設定装置、その方法、そのプログラム、そのプログラムを記録した記録媒体、コンテンツ出力システム、および、コンテンツ記録媒体に関する。
【背景技術】
【０００２】
従来、映像や音楽のコンテンツのジャンルに対応した画質や音質の設定を記憶手段などに記憶させておき、コンテンツを出力する際に、記憶手段からこのコンテンツに設定を読み出して、画質や音質を調整する構成が知られている（例えば、特許文献１〜３参照）。
特許文献１に記載のものは、プレイリストのタイプ情報やコンテンツのジャンルに適合し予め設定された音質音場調整値がタイプ情報やジャンルと関連付けられて、画質音質音場調整設定値保持手段に保存されている。そして、表示手段にメニューを表示させて目的のコンテンツが含まれるプレイリストを選択させる。この後、このプレイリストのタイプ情報を取得して、タイプ情報に適した音質音場調整値にコンテンツの音質を調整する構成が採られている。
特許文献２に記載のものは、接続された表示装置で表示される映像のジャンルを認識し、このジャンルに応じた明るさの値をＲＯＭから読み込む。そして、表示装置の現在の明るさの設定値が不明なため、表示装置の明るさを下限値に設定した後にＲＯＭから読み込んだ値に調整することで、ジャンルに応じた明るさの調整を表示装置に対して行うとともに、同様にして色の濃さや色合いの調整を行う構成が採られている。
特許文献３に記載のものは、曲の音楽データが、この音楽データのジャンルに適した音質データに関連付けられてメモリカードに記録されている。そして、音楽データを再生するときに、この音楽データに関連付けられた音質データに従う音質で再生する構成が採られている。【０００３】
【特許文献１】特開２００６−１０８８４３号公報
【特許文献２】特開２００２−１１８７６９号公報
【特許文献３】特開２００２−２８７７７４号公報
【発明の開示】
【発明が解決しようとする課題】
【０００４】
ところで、例えば設定される画質の出力形態としては、コントラスト、輝度、色の濃さ、色相、シャープネス、色温度、音質などの複数のものが挙げられる。例えばある映画についてその映画監督が推奨する画質の出力形態を記録媒体に記憶しておき、この映画を再生するときにこの記録媒体からその出力形態を読み出して自動的に設定するというような再生装置が考えられる。しかし、例えばユーザの所有するテレビのメーカ名、機種名に対応したある映画の音質、画質設定情報がネットワークに登録されていても、テレビの個別ばらつき、ユーザの好み、ユーザのそのときの視聴条件（視聴する時間帯、部屋の照度等）、ユーザのそのときの気分等によっても最適設定条件は異なる。また、結果的には登録された音質、画質設定情報で視聴するとしても、予めどのような音質、画質設定かを確認したいというユーザもいる。【０００５】
本発明の目的は、コンテンツに対してユーザの個別の要望に応じて、適切に出力形態を設定可能な出力形態設定装置、その方法、そのプログラム、そのプログラムを記録した記録媒体、コンテンツ出力システム、および、コンテンツ記録媒体を提供することである。
【課題を解決するための手段】
【０００６】
本発明の出力形態設定方法は、コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置を用い、前記コンテンツに対する出力形態の設定状態に関する処理をする出力形態設定方法であって、前記出力手段で出力させるコンテンツを特定するコンテンツ特定工程と、前記複数の出力形態のうち少なくとも１個の出力形態の設定状態が記録されるとともに、前記特定したコンテンツに関連付けられた出力形態情報を取得する出力形態情報取得工程と、前記出力形態情報に基づいて、前記少なくとも１個の出力形態の設定状態を変更可能な状態で表示させる設定状態出力制御工程と、を実施することを特徴とする。【０００７】
本発明の出力形態設定装置は、コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置に設けられ、前記コンテンツに対する出力形態の設定状態に関する処理をする出力形態設定装置であって、前記出力手段で出力させるコンテンツを特定するコンテンツ特定情報を取得するコンテンツ特定情報取得手段と、前記複数の出力形態のうち少なくとも１個の出力形態の設定状態が記録されるとともに前記取得したコンテンツ特定情報で特定されるコンテンツに関連付けられた出力形態情報を取得する出力形態情報取得手段と、この取得した出力形態情報に基づく前記設定状態を前記出力手段で出力させる設定状態出力制御手段と、入力操作に応じた操作信号を出力する入力手段からの前記操作信号に基づいて、前記取得した出力形態情報の前記設定状態を変更する出力形態情報変更手段と、を具備したことを特徴とする。【０００８】
本発明のコンテンツ出力システムは、コンテンツを取得するコンテンツ取得手段と、この取得したコンテンツを互いに異なる複数の出力形態を設定した状態で出力手段により出力可能なコンテンツ出力制御手段と、前記コンテンツに対する出力形態の設定状態に関する処理をする上述の出力形態設定装置と、を具備したコンテンツ出力制御装置と、このコンテンツ出力制御装置にネットワークを介して接続されたサーバ装置と、を具備し、前記サーバ装置は、前記コンテンツを前記ネットワークを介して前記コンテンツ出力制御装置へ送信し、前記コンテンツ取得手段は、前記サーバ装置から前記コンテンツを取得することを特徴とする。【０００９】
本発明のコンテンツ記録媒体は、コンテンツを取得するコンテンツ取得手段、および、この取得したコンテンツを互いに異なる複数の出力形態を設定した状態で出力手段により出力可能なコンテンツ出力制御手段を備えたコンテンツ出力制御装置により出力可能なコンテンツと、前記コンテンツ出力制御装置を特定する装置特定情報および前記コンテンツに関連付けられて前記複数の出力形態のうち少なくとも１個の出力形態の設定状態を表す出力形態情報、または、前記出力形態情報が記憶されたアドレスに関するアドレス情報と、が記録されていることを特徴とする。【００１０】
本発明の出力形態設定プログラムは、上述の出力形態設定方法を演算手段に実行させることを特徴とする。【００１１】
本発明の出力形態設定プログラムは、演算手段を上述の出力形態設定装置として機能させることを特徴とする。【００１２】
本発明の出力形態設定プログラムを記録した記録媒体は、上述の出力形態設定プログラムが演算手段にて読取可能に記録されたことを特徴とする。
【図面の簡単な説明】
【００１３】
【図１】本発明の一実施形態に係るコンテンツ出力システムの概略構成を示すブロック図である。
【図２】前記一実施形態における映像音声出力機器の概略構成を示すブロック図である。
【図３】前記一実施形態におけるコンテンツの一部をサンプルコンテンツとして利用する場合における設定利用情報の概略構成を示す模式図である。
【図４】前記一実施形態におけるコンテンツと直接関係ない一般的なサンプルコンテンツを利用する場合における設定利用情報の概略構成を示す模式図である。
【図５】前記一実施形態におけるコトンラスト画像を示す模式図である。
【図６】前記一実施形態における輝度画像を示す模式図である。
【図７】前記一実施形態における第１の濃さ色相画像を示す模式図である。
【図８】前記一実施形態における第２の濃さ色相画像を示す模式図である。
【図９】前記一実施形態におけるシャープネス画像を示す模式図である。
【図１０】前記一実施形態におけるコンテンツの一部をサンプルコンテンツとして利用する場合における出力形態情報の概略構成を示す模式図である。
【図１１】前記一実施形態におけるコンテンツと直接関係ない一般的なサンプルコンテンツを利用する場合における出力形態情報の概略構成を示す模式図である。
【図１２】前記一実施形態におけるコンテンツサーバ装置の概略構成を示すブロック図である。
【図１３】前記一実施形態における放送局の概略構成を示すブロック図である。
【図１４】前記一実施形態における表示装置の概略構成を示すブロック図である。
【図１５】前記一実施形態における内蔵メモリに記憶された各情報を示す模式図である。
【図１６】前記一実施形態における出力処理制御部の概略構成を示すブロック図である。
【図１７】前記一実施形態における出力形態情報の生成処理を示すフローチャートである。
【図１８】前記一実施形態における電子番組表に基づくコンテンツの特定状態を示す模式図である。
【図１９】前記一実施形態における出力形態情報の生成処理を示すフローチャートである。
【図２０】前記一実施形態における設定調整処理を示すフローチャートである。
【図２１】前記一実施形態における機能リスト画像を示す模式図である。
【図２２】前記一実施形態における機能リスト画像を示す模式図である。
【図２３】前記一実施形態における設定画像を示す模式図である。
【図２４】前記一実施形態における機能リスト画像を示す模式図である。
【図２５】前記一実施形態におけるコントラスト調整画像を示す模式図である。
【図２６】前記一実施形態におけるフィルムモード設定画像を示す模式図である。
【図２７】前記一実施形態における音響効果設定画像を示す模式図である。
【図２８】前記一実施形態における設定保存確認画像を示す模式図である。
【図２９】前記一実施形態における名称情報入力画像を示す模式図である。
【図３０】前記一実施形態における保存場所確認画像を示す模式図である。
【図３１】前記一実施形態におけるコンテンツの出力処理を示すフローチャートである。
【図３２】前記一実施形態におけるコンテンツの出力処理を示すフローチャートである。
【符号の説明】
【００１４】
１…コンテンツ出力システム
１００…コンテンツ出力制御装置としての表示装置
１１１…出力手段
１１２…出力形態情報記憶手段としての内蔵メモリ
１１３…出力形態情報取得手段を構成する装着手段としてのストレージドライブ
１１４…コンテンツ出力制御手段としての出力切換処理部
１２１…演算手段としての出力形態設定装置
１２２…コンテンツ取得手段
１３１…コンテンツ特定情報取得手段
１３２…設定状態出力制御手段としても機能する設定調整手段
１３３…出力形態情報生成手段
１３４…出力形態情報取得手段
１３５…出力形態情報変更手段
１４０…入力手段としてのリモートコントローラ
１８０…出力形態情報記憶手段としてのストレージ
２００…ネットワークとしてのインターネット
３００…コンテンツ配信装置としての映像音声出力機器
３１０…出力形態情報記憶手段およびコンテンツ記録媒体としてのディスク
３２１…コンテンツ
３２２…コンテンツ特定情報としての出力用識別情報
３２３…コンテンツ特定情報としてのチャプタ情報
３３６…サンプル位置特定情報としても機能するサンプル情報
３４０…出力形態情報
４００…コンテンツ配信装置としてのコンテンツサーバ装置
４２０…サンプルコンテンツ
５００…コンテンツ配信装置としての放送局
５１１…配信情報
５１４…配信予定情報としての放送日時情報
Ｈ…ネットワークとしての放送波
【発明を実施するための最良の形態】
【００１５】
以下、本発明の一実施形態を図面に基づいて説明する。
この一実施形態では、出力形態としての表示形態であるコントラスト（ピクチャ）、輝度、色の濃さ、色相、シャープネス、色温度、フィルムモード、あるいは音声出力形態である音響効果、周波数特性の機能を所定の状態に設定してコンテンツの画像を表示装置で表示させるコンテンツ出力システムを例示して説明する。
ここで、フィルムモードとは、例えば、毎秒６０コマで表示させる表示装置において通常毎秒２４コマで撮影されている映画フィルムを表示させる際に、映画フィルムの同じコマを複数回連続して表示することで毎秒６０コマの表示を実現するモードを意味する（例えば、特開２００１−３３３３９１参照）。
なお、ここでは、コンテンツ出力システムで処理するコンテンツとして、映像および音声を含む構成を例示するが、映像のみ、あるいは音声のみのコンテンツを処理対象としてもよい。【００１６】
［コンテンツ出力システムの構成］
まず、コンテンツ出力システムの構成について説明する。
図１は、コンテンツ出力システムの概略構成を示すブロック図である。図２は、映像音声出力機器の概略構成を示すブロック図である。図３は、コンテンツの一部をサンプルコンテンツとして利用する場合における設定利用情報の概略構成を示す模式図である。図４は、コンテンツと直接関係ない一般的なサンプルコンテンツを利用する場合における設定利用情報の概略構成を示す模式図である。図５は、コトンラスト画像を示す模式図である。図６は、輝度画像を示す模式図である。図７は、第１の濃さ色相画像を示す模式図である。図８は、第２の濃さ色相画像を示す模式図である。図９は、シャープネス画像を示す模式図である。図１０は、コンテンツの一部をサンプルコンテンツとして利用する場合における出力形態情報の概略構成を示す模式図である。図１１は、コンテンツと直接関係ない一般的なサンプルコンテンツを利用する場合における出力形態情報の概略構成を示す模式図である。図１２は、コンテンツサーバ装置の概略構成を示すブロック図である。図１３は、放送局の概略構成を示すブロック図である。図１４は、表示装置の概略構成を示すブロック図である。図１５は、内蔵メモリに記憶された各情報を示す模式図である。図１６は、出力処理制御部の概略構成を示すブロック図である。【００１７】
図１に示すように、コンテンツ出力システム１は、コンテンツ出力制御装置としての表示装置１００と、ネットワークとしてのインターネット２００と、コンテンツ配信装置としての映像音声出力機器３００と、コンテンツ配信装置としてのコンテンツサーバ装置４００と、コンテンツ配信装置としての放送局５００と、を備えている。
ここで、図１、図２、図１２、図１３、図１４において、各構成を接続する線を２種類の太さで示しているが、太い線は、映像および音声などのデータを送受信するためのデータ線を表し、細い線は、映像を表示したりや音声を出力するための制御信号などの信号を送受信するための制御線を表す。また、インターフェース処理部を、Ｉ／Ｆ処理部と称す。【００１８】
表示装置１００は、図示しないネットワークとしてのＨＤＭＩケーブルを介して映像音声出力機器３００に、インターネット２００を介してコンテンツサーバ装置４００に、それぞれ各種情報を送受信可能に接続され、これらから送信されるコンテンツを出力させる。また、表示装置１００は、放送局５００のアンテナ５０１から出力されるネットワークとしての放送波Ｈをアンテナ１０１を介して取得して、この放送波Ｈを利用して送信されるコンテンツを出力させる。さらに、表示装置１００は、出力形態情報記憶手段としてのストレージ１８０に記憶されたコンテンツを出力させる。なお、表示装置１００の詳細については、後述する。【００１９】
映像音声出力機器３００は、図２に示すように、入出力端子３０１と、Ｉ／Ｆ処理部３０２と、ディスクドライブ３０３と、機器制御部３０４と、を備えている。
入出力端子３０１は、図示しないＨＤＭＩケーブルが着脱可能な構成を有し、このＨＤＭＩケーブルを介して表示装置１００に接続されている。なお、表示装置１００との各種情報の送受信において、ＨＤＭＩ規格に準拠したＨＤＭＩケーブルを用いずに、ＩＥＥＥ（The Institute of Electrical and Electronics Engineers）１３９４規格によるＭＰＥＧ圧縮データを用いた映像、音声伝送方式、Ｄ映像端子（Ｄ端子とも呼ばれる）を用いたＹ（輝度信号）／Ｐｂ（青色色差信号）／Ｐｒ（赤色色差信号）のコンポーネント映像伝送方式、ＩＥＣ（International Electrotechnical Commission）６０９５８規格、ＩＥＣ６１９３７規格によるデジタルオーディオフォーマットでの光デジタル音声伝送方式などを用いてもよい。【００２０】
ディスクドライブ３０３は、機器制御部３０４に接続されるとともに、その一部が映像音声出力機器３００の図示しないケース体の外部に露出する状態で設けられている。このディスクドライブ３０３には、出力形態情報記憶手段およびコンテンツ記録媒体としてのディスク３１０が着脱自在に装着される。このディスク３１０は、コンテンツ出力用情報３２０と、設定利用情報３３０と、出力形態情報３４０のうち、少なくともコンテンツ出力用情報３２０を適宜記憶する。そして、ディスクドライブ３０３は、機器制御部３０４の制御により、各情報３２０，３３０，３４０をディスク３１０に記憶させたり、ディスク３１０から読み出して機器制御部３０４へ出力したり、ディスク３１０から消去したりする。なお、ディスク３１０としては、ＤＶＤ（Digital Versatile Disc）やブルーレイディスク（Blu-ray Disc）などが例示できる。【００２１】
ここで、コンテンツ出力用情報３２０は、コンテンツ３２１と、コンテンツ特定情報としての出力用識別情報３２２と、コンテンツ特定情報としてのチャプタ情報３２３とのうち、少なくともコンテンツ３２１を備えている。出力用識別情報３２２には、コンテンツ３２１の名称やジャンルが記録される。チャプタ情報３２３には、コンテンツ３２１を構成するチャプタの数、各チャプタの出力時間、コンテンツ３２１全体の出力時間のうち少なくとも１個が記録される。
また、設定利用情報３３０は、図３や図４に示すように、設定利用名称情報３３１と、設定利用ジャンル情報３３２と、機能リスト情報３３３と、推奨設定情報３３４と、装置特定情報３３５と、サンプル位置特定情報としても機能するサンプル情報３３６と、を備えている。
設定利用名称情報３３１および設定利用ジャンル情報３３２には、出力用識別情報３２２の名称およびジャンルがそれぞれ記録される。
機能リスト情報３３３には、コンテンツ３２１に対して設定が推奨される表示や音声の機能が記録されている。この機能リスト情報３３３には、各コンテンツ３２１やジャンルに対応して適宜異なる機能が記録される。
推奨設定情報３３４には、機能リスト情報３３３に記録された機能の推奨範囲が記録されている。例えば、推奨設定情報３３４の「コントラスト：Ａ２〜Ａ１１」は、コントラストの推奨設定値の範囲がＡ２〜Ａ１１であることを表している。
装置特定情報３３５には、表示装置１００の製造会社名および型式が記録されている。ここで、表示装置１００の製造会社や型式が異なる場合、設定可能な機能や機能設定調整時の基準値が異なる場合がある。このような場合にも、適切に機能を設定できるように、必要に応じて表示装置１００ごとに異なる設定利用情報３３０がディスク３１０に記憶されている。なお、図３では、Ｐ社の表示装置１００では色温度を設定できるが、Ｑ社のものでは色温度を設定できないことを表している。
サンプル情報３３６は、機能リスト情報３３３に記録された表示や音声の機能を設定する際に表示装置１００で出力され、機能設定の目安とすることができる図示しないサンプルコンテンツを特定する情報である。このサンプル情報３３６には、コンテンツ３２１の一部をサンプルコンテンツとして利用する場合、図３に示すように、コンテンツ３２１中におけるサンプルコンテンツの開始アドレスと、終了アドレスと、が記録されている。また、コンテンツ３２１と直接関係ない一般的なサンプルコンテンツ４２０（例えば、図１２参照）を利用する場合、図４に示すように、このサンプルコンテンツ４２０を特定するための情報が記録されている。【００２２】
ここで、サンプルコンテンツ４２０は、図５に示すコントラスト画像４３０と、図６に示す輝度画像４４０と、図７および図８にそれぞれ示す第１，第２の濃さ色相画像４５０，４６０と、図９に示すシャープネス画像４７０と、それぞれ図示しない色温度画像、フィルムモード画像、音響調整音声および周波数調整音声と、から構成されている。
色温度画像およびフィルムモード画像は、色温度、フィルムモードの設定時に表示部１１１Ａ（図１４参照）で表示される画像であり、音響調整音声および周波数調整音声は、音響効果、周波数特性の設定時に音声出力部１１１Ｂ（図１４参照）から出力される音声である。【００２３】
図５に示すように、コントラスト設定用のコントラスト画像４３０は、灰色に塗りつぶされた長方形状の背景領域４３１を有している。そして、この背景領域４３１内には、第１〜第８の比較領域４３２〜４３９が横方向に４個、縦方向に２個、並んで設けられている。第１，第２，第３，第４，第５，第６，第７，第８の比較領域４３２，４３３，４３４，４３５，４３６，４３７，４３８，４３９は、この順序で同じ割合で徐々に濃くなる薄い灰色に塗りつぶされている。また、例えば、第１，第２の比較領域４３２，４３３は、背景領域４３１よりも薄い灰色に塗りつぶされ、第３〜第８の比較領域４３４〜４３９は、背景領域４３１よりも濃い灰色に塗りつぶされている。
例えば、コンテンツ３２１がスポーツでありコントラストを上げる場合、コントラスト画像４３０の第１〜第８の比較領域４３２〜４３９を背景領域４３１に溶け込まない程度までコントラストを上げ、全ての比較領域４３２〜４３９が何とか判別できるようになるまで調整する（コントラストを上げる調整）。
また、コンテンツ３２１が映画でありコントラストを控える場合、スポーツのときよりもコントラストを下げ、全ての比較領域４３２〜４３９が容易に判別できるようになるまで調整する（コントラストをある程度下げる調整）。【００２４】
また、図６に示すように、輝度設定用の輝度画像４４０は、黒色に塗りつぶされた長方形状の背景領域４４１を有している。そして、この背景領域４４１内には、第１〜第８の比較領域４４２〜４４９が横方向に並んで設けられている。第１，第２，第３，第４，第５，第６，第７，第８の比較領域４４２，４４３，４４４，４４５，４４６，４４７，４４８，４４９は、この順序で同じ割合で徐々に濃くなる濃い灰色に塗りつぶされている。つまり、第１〜第８の比較領域４４２〜４４９は、背景領域４４１よりも薄い色に塗りつぶされている。
例えば、コンテンツ３２１がスポーツであり輝度を上げる場合、輝度画像４４０の第１〜第８の比較領域４４２〜４４９を背景領域４４１に溶け込ませずに、全て判別できるように輝度が調整される。
また、コンテンツ３２１が映画であり輝度を控える場合、第１，第２の比較領域４４２，４４３を背景領域４４１に溶け込ませ、第３〜第８の比較領域４４４〜４４９を判別できるように輝度が調整される。【００２５】
さらに、図７に示すように、色の濃さあるいは色相設定用の第１の濃さ色相画像４５０は、それぞれ白色、黄色、シアン色、緑色、マゼンダ色、赤色、青色に塗りつぶされ、横方向に並ぶ縦長の長方形の第１〜第７の比較領域４５１〜４５７を有している。
例えば、コンテンツ３２１が映画であり正しい色合いで見えるようにする場合、第１の濃さ色相画像４５０の赤色と青色が自然に鮮やかな色の濃さとなるように調整されるとともに、シアン色とマゼンダ色が正しい色合いになるように調整される。【００２６】
また、図８に示すように、色の濃さあるいは色相設定用の第２の濃さ色相画像４６０は、例えば空色に塗りつぶされた背景領域４６１を有している。そして、この背景領域４６１内には、花４６２、茎４６３、および、葉４６４が表示されている。
例えば、コンテンツ３２１がスポーツの場合、花４６２と葉４６４の色が鮮やかだと感じるように色の濃さが調整される。そして、人間の記憶にある花４６２と葉４６４の色に近くなるように色合いが調整される。【００２７】
そして、図９に示すように、シャープネス設定用のシャープネス画像４７０は、それぞれ少なくとも１本の縦線から構成され、横方向に並ぶ第１〜第７の比較領域４７１〜４７７を有している。第１，第２，第３，第４，第５，第６，第７の比較領域４７１，４７２，４７３，４７４，４７５，４７６，４７７には、この順序で徐々に細くなりかつ間隔が徐々に小さくなる状態で縦線が表示されている。
例えば、コンテンツ３２１がスポーツでありシャープネスを上げる場合、シャープネス画像４７０の第１〜第５の比較領域４７１〜４７５の線がはっきり区別して見えるように調整される。
また、コンテンツ３２１が映画でありシャープネスを控える場合、第１〜第４の比較領域４７１〜４７４の線がはっきり区別して見えるように調整される。【００２８】
出力形態情報３４０は、表示装置１００により設定利用情報３３０に基づいて生成され、図１０や図１１に示すように、設定固有情報３４１と、設定利用名称情報３３１と、設定利用ジャンル情報３３２と、チャプタ情報３２３と、機能リスト情報３３３と、推奨設定情報３３４と、装置特定情報３３５と、サンプル情報３３６と、ユーザ設定値情報３４４と、を備えている。
ここで、図３に示すような、コンテンツ３２１の一部をサンプルコンテンツとして利用するときの設定利用情報３３０に基づいて、図１０に示すように、サンプル情報３３６にサンプルコンテンツの開始アドレス、終了ドレスが記録された出力形態情報３４０が生成される。また、図４に示すような、コンテンツ３２１と直接関係ない一般的なサンプルコンテンツ４２０を利用するときの設定利用情報３３０に基づいて、図１１に示すように、サンプル情報３３６にサンプルコンテンツ４２０の特定情報が記録された出力形態情報３４０が生成される。
設定固有情報３４１には、出力形態情報３４０固有の名称が記録されている。ユーザ設定値情報３４４には、ユーザにより設定された各機能の設定値が記録されている。例えば、ユーザ設定値情報３４４の「コントラスト：Ａ５」は、コントラストの設定値が推奨設定範囲（Ａ２〜Ａ１１）内のＡ５に設定されていることを表している。【００２９】
ここで、ユーザ設定値情報３４４の一例について説明する。
設定利用ジャンル情報３３２にコンテンツ３２１のジャンルが映画である旨が記録されている場合、映画は、映画館という暗い場所で見ることを想定して製作されるため、映画を自宅で見るときに照明をある程度落とすことが予想される。さらに、映画は、フィルムソースであり、その画質がビデオソースと異なるため映画用の画質調整が必要となる。
このため、コントラスト、輝度、色の濃さ、シャープネスは、あまり設定を上げずに低下させる傾向がある。また、色相は、映画制作者の意図した色合いに調整される可能性がある。さらに、色温度は、低く設定され、フィルムモードは、オンに設定される。
また、設定利用ジャンル情報３３２にジャンルがスポーツである旨が記録されている場合、スポーツは、屋外の日光や屋内の照明により明るい場所で行われることが多い。また、ユニフォームのカラーなどは、色合いがはっきりしている傾向がある。さらに、試合状況がよくわかるようにはっきりとした映像で表示する必要がある。
このため、コントラストは、メリハリがつくように設定を上げる傾向にあり、輝度は、明るい状況を再現するために設定を上げる傾向にある。また、色の濃さは、色をはっきり見せるために設定を上げる傾向があり、シャープネスは上げる傾向にある。そして、色温度は、明るい環境を再現するために高く設定される。【００３０】
機器制御部３０４は、ディスクドライブ３０３を制御して、ディスク３１０に記憶された各情報３２０，３３０，３４０を適宜取得し、Ｉ／Ｆ処理部３０２を介して表示装置１００へ出力する。また、表示装置１００から送信されるコンテンツ出力用情報３２０や出力形態情報３４０を取得して、ディスク３１０に記憶させる。【００３１】
コンテンツサーバ装置４００は、図１２に示すように、入出力端子４０１と、Ｉ／Ｆ処理部４０２と、サーバ記憶手段４０３と、サーバ制御部４０４と、を備えている。
入出力端子４０１は、図示しないネットワーク接続ケーブルおよびインターネット２００を介して表示装置１００に接続されている。
サーバ記憶手段４０３は、コンテンツ出力用情報３２０と、図３や図４に示すような設定利用情報３３０と、サンプルコンテンツ４２０とのうち少なくともコンテンツ出力用情報３２０を適宜記憶する。
サーバ制御部４０４は、サーバ記憶手段４０３に記憶されたコンテンツ出力用情報３２０、設定利用情報３３０、サンプルコンテンツ４２０を適宜取得し、Ｉ／Ｆ処理部４０２を介して表示装置１００へ送信する。【００３２】
放送局５００は、図１３に示すように、アンテナ５０１と、入出力端子５０２と、Ｉ／Ｆ処理部５０３と、放送局コンテンツ供給手段５０４と、ＥＰＧ（Electronic Program Guide）関連情報記憶手段５０５と、放送局制御部５０６と、を備えている。ここで、放送局５００は、従来ある放送局のみでなく、ＶＯＤのような新しいサービス形態も想定している。
放送局コンテンツ供給手段５０４は、放送局５００で放送されるコンテンツ３２１を放送局制御部５０６に供給する。
ＥＰＧ関連情報記憶手段５０５は、ＥＰＧ情報５１０と、図３や図４に示すような設定利用情報３３０と、サンプルコンテンツ４２０とのうち、少なくともＥＰＧ情報５１０を適宜読み出し可能に記憶している。
ＥＰＧ情報５１０は、各コンテンツ３２１に関する複数の配信情報５１１を有している。そして、配信情報５１１は、コンテンツ３２１が放送される放送局５００のチャンネルに関するチャンネル情報５１２と、出力用識別情報３２２と、コンテンツ３２１の放送日時に関する配信予定情報としての放送日時情報５１４と、コンテンツ３２１の内容に関する内容情報５１５と、を備えている。
放送局制御部５０６は、所定日時になったことあるいは表示装置１００からの要求を認識すると、ＥＰＧ関連情報記憶手段５０５から配信情報５１１を取得し、アンテナ５０１を介して表示装置１００へ送信する。また、コンテンツ３２１の配信日時が近づいたことを認識すると、このコンテンツ３２１を表示装置１００へ送信する。さらに、設定利用情報３３０やサンプルコンテンツ４２０を表示装置１００へ適宜送信する。【００３３】
表示装置１００は、図１４に示すように、第１，第２，第３の入出力端子１０２，１０３，１０４と、第１，第２，第３のＩ／Ｆ処理部１０５，１０６，１０７と、チューナ部１０８と、受光部１０９と、入力切換部１１０と、出力手段１１１と、出力形態情報記憶手段としての内蔵メモリ１１２と、出力形態情報取得手段を構成する装着手段としてのストレージドライブ１１３と、コンテンツ出力制御手段としての出力切換処理部１１４と、表示装置制御部１１５と、を備えている。
第１〜第３の入出力端子１０２〜１０４は、それぞれ図示しないＨＤＭＩケーブル、ネットワーク接続ケーブル、アンテナケーブルが着脱可能な構成を有している。
第１〜第３のＩ／Ｆ処理部１０５〜１０７は、第１の入出力端子１０２を介して映像音声出力機器３００に、第２の入出力端子１０３およびインターネット２００を介してコンテンツサーバ装置４００に、ストレージドライブ１１３にそれぞれ接続されるとともに、表示装置制御部１１５に接続されている。
チューナ部１０８は、第３の入出力端子１０４を介してアンテナ１０１に接続されるとともに、表示装置制御部１１５に接続されている。このチューナ部１０８は、表示装置制御部１１５により制御され、アンテナ１０１を介して放送局５００からＥＰＧ情報５１０やコンテンツ３２１を取得する。
受光部１０９は、その一部が表示装置１００の図示しないケース体の外部に露出する状態で設けられている。この受光部１０９は、入力手段としてのリモートコントローラ（以下、リモコンと称す）１４０から赤外線Ｌを受光して、この赤外線Ｌを利用して送信された操作信号を入力切換部１１０へ送信する。
入力切換部１１０は、受光部１０９からの操作信号に基づいて、ユーザが視聴するコンテンツ３２１を出力する映像音声出力機器３００やコンテンツサーバ装置４００あるいは放送局５００の選択、さらには、機能の設定状態の変更などに関する処理信号を表示装置制御部１１５へ出力する。
出力手段１１１は、出力切換処理部１１４から出力されるコンテンツ３２１の映像などを表示する表示部１１１Ａと、出力切換処理部１１４から出力されるコンテンツ３２１の音声を出力する音声出力部１１１Ｂと、を備えている。【００３４】
内蔵メモリ１１２は、図１５に示すように、コンテンツ出力用情報３２０と、図３や図４に示すような設定利用情報３３０と、サンプルコンテンツ４２０と、図１０や図１１に示すような出力形態情報３４０と、自装置情報１７０と、を適宜読み出し可能に記憶している。なお、図１５では、コンテンツ出力用情報３２０としてコンテンツ３２１を含む構成を例示しているが、映画などのコンテンツとして商品化されているＤＶＤを利用する場合、コンテンツ３２１は内蔵メモリ１１２には記録しないのが通常である。
自装置情報１７０には、表示装置１００の製造会社名および型式に関する情報が記録されている。【００３５】
ストレージドライブ１１３は、図１４に示すように、第３のＩ／Ｆ処理部１０７を介して表示装置制御部１１５に接続されるとともに、その一部が表示装置１００のケース体の外部に露出する状態で設けられている。このストレージドライブ１１３には、出力形態情報記憶手段としてのストレージ１８０が着脱自在に装着される。このストレージ１８０は、コンテンツ出力用情報３２０と、図３や図４に示すような設定利用情報３３０と、サンプルコンテンツ４２０と、図１０や図１１に示すような出力形態情報３４０と、を適宜読み出し可能に記憶している。
そして、ストレージドライブ１１３は、表示装置制御部１１５の制御により、コンテンツ出力用情報３２０、サンプルコンテンツ４２０、出力形態情報３４０をストレージ１８０に記憶させたり、ストレージ１８０から読み出して表示装置制御部１１５へ出力したり、ストレージ１８０から消去したりする。【００３６】
ここで、ディスク３１０に記憶されている設定利用情報３３０および出力形態情報３４０は、ディスク３１０に記憶されたコンテンツ３２１のみに対応する内容を有している。
また、コンテンツサーバ装置４００および放送局５００に記憶されている設定利用情報３３０は、それぞれ設定利用情報３３０を記憶する装置のコンテンツ３２１のみに対応する内容を有している。
さらに、内蔵メモリ１１２およびストレージ１８０に記憶されている設定利用情報３３０および出力形態情報３４０は、ディスク３１０、コンテンツサーバ装置４００、放送局５００、内蔵メモリ１１２、および、ストレージ１８０のいずれかに記憶されたコンテンツ３２１に対応する内容を有している。【００３７】
出力切換処理部１１４は、表示装置制御部１１５の制御に基づいて、第１〜第３のＩ／Ｆ処理部１０５〜１０７あるいはチューナ部１０８を介して送信されるコンテンツ３２１に基づいて、所定の設定状態の画像を表示部１１１Ａで表示させたり、所定の設定状態の音声を音声出力部１１１Ｂから出力させたりする。【００３８】
表示装置制御部１１５は、各種プログラムにより構成され、出力処理制御部１２０と、オンスクリーン処理部１５０と、を備えている。
また、出力処理制御部１２０は、図１６に示すように、演算手段としての出力形態設定装置１２１と、コンテンツ取得手段１２２と、録画制御手段１２３と、を備えている。
さらに、出力形態設定装置１２１は、コンテンツ特定情報取得手段１３１と、設定状態出力制御手段としても機能する設定調整手段１３２と、出力形態情報生成手段１３３と、出力形態情報取得手段１３４と、出力形態情報変更手段１３５と、を備えている。【００３９】
コンテンツ特定情報取得手段１３１は、出力形態情報生成手段１３３、出力形態情報取得手段１３４、出力形態情報変更手段１３５の制御により、ディスク３１０、コンテンツサーバ装置４００、放送局５００、内蔵メモリ１１２、ストレージ１８０から出力用識別情報３２２を取得する。また、コンテンツ特定情報取得手段１３１は、出力用識別情報３２２を取得できない場合、チャプタ情報３２３の取得処理をする。
設定調整手段１３２は、出力形態情報生成手段１３３や出力形態情報変更手段１３５の制御により、設定利用情報３３０あるいは出力形態情報３４０に基づいて、コンテンツ３２１に対して設定可能な機能の設定を調整する。
出力形態情報生成手段１３３は、設定利用情報３３０に基づいて出力形態情報３４０を生成して、ディスク３１０、内蔵メモリ１１２、ストレージ１８０に記憶させる。
出力形態情報取得手段１３４は、自装置情報１７０に基づいて、所定のコンテンツ３２１の出力形態情報３４０をディスク３１０、内蔵メモリ１１２、ストレージ１８０から取得する。
出力形態情報変更手段１３５は、設定調整手段１３２における機能の設定調整に基づいて、出力形態情報３４０の内容を変更（更新）して、ディスク３１０、内蔵メモリ１１２、ストレージ１８０に記憶させる。【００４０】
コンテンツ取得手段１２２は、ディスク３１０、コンテンツサーバ装置４００、放送局５００、内蔵メモリ１１２、ストレージ１８０からコンテンツ３２１を取得する。
録画制御手段１２３は、ディスク３１０、コンテンツサーバ装置４００、放送局５００、内蔵メモリ１１２、ストレージ１８０からコンテンツ３２１を取得して、このコンテンツ３２１に対応する出力形態情報３４０をコンテンツ３２１とともに内蔵メモリ１１２、ストレージ１８０に記憶、すなわち録画する。また、出力形態情報３４０をコンテンツ３２１とともに映像音声出力機器３００へ送信して、ディスク３１０に録画させる。
オンスクリーン処理部１５０は、後述する機能リスト画像６００（図２１，２２参照）を表示部１１１Ａで表示させる。【００４１】
［コンテンツ出力システムの動作］
次に、コンテンツ出力システム１の動作について説明する。なお、以下の図１７〜図３２に基づく動作説明では、「サンプルコンテンツ」との表記は、コンテンツ３２１の一部であるサンプルコンテンツと、内蔵メモリ１１２などに記憶されたサンプルコンテンツ４２０とのうち少なくともいずれか一方を表すものとする。【００４２】
〔出力形態情報の生成処理〕
まず、出力形態情報３４０の生成処理について説明する。
図１７は、出力形態情報の生成処理を示すフローチャートである。図１８は、電子番組表に基づくコンテンツの特定状態を示す模式図である。図１９は、出力形態情報の生成処理を示すフローチャートである。図２０は、設定調整処理を示すフローチャートである。図２１および図２２は、機能リスト画像を示す模式図である。図２３は、設定画像を示す模式図である。図２４は、機能リスト画像を示す模式図である。図２５は、コントラスト調整画像を示す模式図である。図２６は、フィルムモード設定画像を示す模式図である。図２７は、音響効果設定画像を示す模式図である。図２８は、設定保存確認画像を示す模式図である。図２９は、名称情報入力画像を示す模式図である。図３０は、保存場所確認画像を示す模式図である。【００４３】
コンテンツ出力システム１の表示装置１００を構成する出力処理制御部１２０は、図１７に示すように、出力形態情報生成手段１３３にてコンテンツ特定情報取得手段１３１を制御して、出力形態情報３４０の生成対象のコンテンツ３２１を特定する（ステップＳ１）。
このステップＳ１において、コンテンツ特定情報取得手段１３１は、コンテンツ３２１がディスク３１０、コンテンツサーバ装置４００、内蔵メモリ１１２、ストレージ１８０のいずれかに記憶されている場合、リモコン１４０からの操作信号に基づき選択されたコンテンツ３２１のコンテンツ出力用情報３２０に出力用識別情報３２２が存在するか否かを判断する。そして、出力用識別情報３２２が存在する場合、この出力用識別情報３２２を取得してコンテンツ３２１の名称やジャンルを特定する。一方、出力用識別情報３２２が存在しない場合、コンテンツ３２１を特定できないと認識する。
また、コンテンツ特定情報取得手段１３１は、コンテンツ３２１が放送局５００に記憶されている場合、操作信号に基づいて放送局５００にＥＰＧ情報５１０の配信を要求して、ＥＰＧ情報５１０を取得する。そして、このＥＰＧ情報５１０に基づいて、図１８に示すような電子番組表５２０を表示部１１１Ａで表示させる。すなわち、５ｃｈ（チャンネル）の１９時〜２１時３０分までスポーツの野球中継が放送され、５ｃｈの２１時３０分から２２時まで映画の「ＲＨ」が放送され、７ｃｈの１９時〜２２時まで映画の「ＬＡＬＡＬＡＬＡ」が放送される旨の電子番組表５２０を表示させる。さらに、電子番組表５２０にカーソル５２１を表示させる。そして、操作信号に基づきカーソル５２１を移動させ、このカーソル５２１の位置を選択する操作信号を認識すると、このときカーソル５２１で囲まれているコンテンツ３２１の配信情報５１１に存在する出力用識別情報３２２を取得してコンテンツ３２１の名称やジャンルを特定する。この図１８では、ジャンルがスポーツの野球中継が出力形態情報３４０の生成対象として特定されている状態を表している。【００４４】
そして、ステップＳ１の処理の後、出力形態情報生成手段１３３は、内蔵メモリ１１２の自装置情報１７０に基づいて表示装置１００（自装置）の製造会社名や型式を特定し（ステップＳ２）、生成対象のコンテンツ３２１がディスク３１０に記憶されたものか否かを判断する（ステップＳ３）。
このステップＳ３において、ディスク３１０に記憶されたものであると判断した場合、このコンテンツ３２１および表示装置１００に対応する設定利用情報３３０をディスク３１０から取得可能かを判断する（ステップＳ４）。具体的には、ステップＳ１でコンテンツ３２１の特定に利用した出力用識別情報３２２と内容が一致する設定利用名称情報３３１および設定利用ジャンル情報３３２を有し、かつ、ステップＳ２における自装置の特定内容が装置特定情報３３５に記録されている設定利用情報３３０を取得可能か否かを判断する。
このステップＳ４において、取得できると判断した場合、ディスク３１０から設定利用情報３３０を取得する（ステップＳ５）。【００４５】
また、ステップＳ３において、出力形態情報生成手段１３３は、生成対象のコンテンツ３２１がディスク３１０に記憶されたものでないと判断した場合、放送局５００から送信されるものか否かを判断する（ステップＳ６）。このステップＳ６において、放送局５００から送信されるものであると判断した場合、送信されるコンテンツ３２１および表示装置１００に対応する設定利用情報３３０を放送局５００から取得可能か否かを判断する（ステップＳ７）。具体的には、ステップＳ１でコンテンツ３２１の特定に利用した出力用識別情報３２２と内容が一致する設定利用名称情報３３１および設定利用ジャンル情報３３２を有し、かつ、ステップＳ２における自装置の特定内容が装置特定情報３３５に記録されている設定利用情報３３０を取得可能か否かを判断する。
このステップＳ７において、取得できると判断した場合、放送局５００から設定利用情報３３０を取得する（ステップＳ５）。【００４６】
また、ステップＳ６において、出力形態情報生成手段１３３は、生成対象のコンテンツ３２１が放送局５００から送信されるものでないと判断した場合、コンテンツサーバ装置４００から送信されるものか否かを判断する（ステップＳ８）。このステップＳ８において、コンテンツサーバ装置４００から送信されるものであると判断した場合、送信されるコンテンツ３２１および表示装置１００に対応する設定利用情報３３０をコンテンツサーバ装置４００から取得可能か否かを判断する（ステップＳ９）。このステップＳ９において、取得できると判断した場合、コンテンツサーバ装置４００から設定利用情報３３０を取得する（ステップＳ５）。【００４７】
また、ステップＳ８において、出力形態情報生成手段１３３は、生成対象のコンテンツ３２１がコンテンツサーバ装置４００から送信されるものでないと判断した場合、コンテンツ３２１が内蔵メモリ１１２またはストレージ１８０に記憶されていると認識して（ステップＳ１０）、生成対象のコンテンツ３２１の名称またはジャンルを特定できたか否かを判断する（ステップＳ１１）。さらに、ステップＳ４，Ｓ７，Ｓ９において、ディスク３１０、放送局５００、コンテンツサーバ装置４００に設定利用情報３３０が記憶されていない、あるいは、ステップＳ１においてコンテンツの名称などを特定できなかったことにより、設定利用情報３３０を取得できないと判断した場合も、ステップＳ１１の処理を実施する。
そして、ステップＳ１１において、名称またはジャンルを特定できたと判断した場合、このコンテンツ３２１および表示装置１００に対応する設定利用情報３３０をストレージ１８０から取得可能か否かを判断する（ステップＳ１２）。また、ステップＳ１１において、名称またはジャンルを特定できていないと判断した場合、ユーザにジャンルを設定する旨を促して、操作信号に基づきコンテンツ３２１のジャンルを認識して（ステップＳ１３）、このジャンルおよび表示装置１００に対応する設定利用情報３３０をストレージ１８０から取得可能か否かを判断する（ステップＳ１２）。【００４８】
このステップＳ１２において、出力形態情報生成手段１３３は、取得できると判断した場合、ストレージ１８０から設定利用情報３３０を取得する（ステップＳ５）。一方、ステップＳ１２において、取得できないと判断した場合、コンテンツ３２１および表示装置１００に対応する設定利用情報３３０を内蔵メモリ１１２から取得可能か否かを判断する（ステップＳ１４）。そして、ステップＳ１４において、取得できると判断した場合、内蔵メモリ１１２から設定利用情報３３０を取得し（ステップＳ５）、取得できないと判断した場合、コンテンツ３２１および表示装置１００に対応する設定利用情報３３０をコンテンツサーバ装置４００から取得可能か否かを判断する（ステップＳ１５）。このステップＳ１５において、取得できると判断した場合、コンテンツサーバ装置４００から設定利用情報３３０を取得し（ステップＳ５）、取得できないと判断した場合、図１９に示すように処理を終了する。【００４９】
また、出力処理制御部１２０の設定調整手段１３２は、図１７に示すように、ステップＳ５で出力形態情報生成手段１３３により設定利用情報３３０が取得されると、この設定利用情報３３０の機能リスト情報３３３の各機能の設定調整処理を実施する（ステップＳ１６）。このステップＳ１６における設定調整処理の後、出力形態情報生成手段１３３は、図１９に示すように、操作信号に基づいて、設定調整処理の設定を保存するか否かを判断する（ステップＳ１７）。このステップＳ１７において、保存しないと判断した場合、処理を終了する。一方、ステップＳ１７において、設定を保存すると判断した場合、ステップＳ１において出力用識別情報３２２を取得できているか否かを判断する（ステップＳ１８）。このステップＳ１８において、出力用識別情報３２２を取得できていると判断した場合、コンテンツ３２１と調整設定とを連動させる（ステップＳ１９）。具体的には、出力形態情報生成手段１３３は、コンテンツ３２１に対応する設定利用情報３３０と、調整設定に関するユーザ設定値情報３４４とを連動させる。
この後、出力形態情報生成手段１３３は、出力形態情報３４０の名称の設定を認識して（ステップＳ２０）、この名称を表す設定固有情報３４１と、設定利用情報３３０と、ユーザ設定値情報３４４と、を有する出力形態情報３４０を生成する（ステップＳ２１）。このとき生成される出力形態情報３４０のチャプタ情報３２３には、情報が記録されていない。【００５０】
一方、出力形態情報生成手段１３３は、ステップＳ１８において、出力用識別情報３２２を取得できていないと判断した場合、コンテンツ特定情報取得手段１３１を制御して、コンテンツ３２１のチャプタ情報３２３に基づいて、コンテンツ３２１のチャプタ数、各チャプタの時間、全体時間の確認処理を実施する（ステップＳ２２）。そして、チャプタ数などを確認できたかを判断して（ステップＳ２３）、確認できたと判断した場合、この確認内容に関するチャプタ情報３２３と、設定利用情報３３０と、調整設定に関するユーザ設定値情報３４４と、を連動させ（ステップＳ１９）、ステップＳ２０，Ｓ２１の処理をする。このとき生成される出力形態情報３４０の設定利用名称情報３３１および設定利用ジャンル情報３３２には、情報が記録されていない。
また、ステップＳ２３において、確認できないと判断した場合、ステップＳ２０，Ｓ２１の処理をする。このとき生成される出力形態情報３４０の設定利用名称情報３３１、設定利用ジャンル情報３３２、チャプタ情報３２３には、情報が記録されていない。【００５１】
そして、出力形態情報生成手段１３３は、操作信号に基づいて、出力形態情報３４０をストレージ１８０に保存するか否かを判断する（ステップＳ２４）。このステップＳ２４において、保存すると判断した場合、ストレージ１８０に保存して（ステップＳ２５）、処理を終了し、保存しないと判断した場合、内蔵メモリ１１２に保存するか否かを判断する（ステップＳ２６）。そして、出力形態情報生成手段１３３は、ステップＳ２６において、保存すると判断した場合、内蔵メモリ１１２に保存して（ステップＳ２５）、処理を終了し、保存しないと判断した場合、ディスク３１０に保存するか否かを判断する（ステップＳ２７）。このステップＳ２７において、保存すると判断した場合、ディスク３１０に保存して（ステップＳ２５）、処理を終了し、保存しないと判断した場合、保存せずに処理を終了する。
なお、出力形態情報３４０を保存する際、保存対象の構成にサンプルコンテンツが保存されていないことを認識すると、サンプルコンテンツを取得可能か否かを判断し、取得可能な場合は、出力形態情報３４０とともに保存する。
以上により、出力手段１１１でコンテンツ３２１を出力させる前に、ディスク３１０、コンテンツサーバ装置４００、放送局５００、内蔵メモリ１１２、ストレージ１８０のコンテンツ３２１に対して適宜異なる機能が設定された出力形態情報３４０を、ディスク３１０、内蔵メモリ１１２、ストレージ１８０のいずれかに保存することができる。【００５２】
また、ステップＳ１６における設定調整処理では、設定調整手段１３２は、図２０に示すように、オンスクリーン処理部１５０を制御して、設定利用情報３３０の機能リスト情報３３３に基づいて、コンテンツ３２１に対して設定可能な機能に関する機能リスト画像６００を表示部１１１Ａで表示させる（ステップＳ３１）。具体的には、図２１および図２２に示すように、所定のコンテンツ３２１に対応する機能リスト画像６００を表示させる。この機能リスト画像６００は、機能を表す機能名情報６０１と、設定可能範囲画像６０２と、推奨状態範囲画像６０３と、調整軸６０４と、調整バー６０５と、を備えている。図２１は、画像のコントラスト、明るさ、および、色の濃さと、音声の周波数特性（イコライザ）および音響効果と、がコンテンツ３２１に対して設定可能な機能として設定されていることを表している。また、図２２は、画像のコントラスト、明るさ、および、シャープネスと、音声の音響効果と、がコンテンツ３２１に対して設定可能な機能として設定されていることを表している。つまり、コンテンツ３２１ごとに異なる機能を設定できることを表している。【００５３】
この後、設定調整手段１３２は、図２０に示すように、操作信号に基づいて所定の機能が選択されたことを認識すると（ステップＳ３２）、この選択された機能のサンプルコンテンツがあるか否かを判断する（ステップＳ３３）。ここで、機能設定対象のコンテンツ３２１がディスク３１０に記録されている場合、設定利用情報３３０のサンプル情報３３６における開始アドレスおよび終了アドレスに基づいて、コンテンツ３２１の一部をサンプルコンテンツとして取得する。また、機能設定対象のコンテンツ３２１がディスク３１０以外に記録されている場合、設定利用情報３３０のサンプル情報３３６に基づき特定されるサンプルコンテンツを取得する。
そして、ステップＳ３３において、サンプルコンテンツがあると判断した場合、このサンプルコンテンツを出力手段１１１で出力させる（ステップＳ３４）。このステップＳ３４において、画像に関するサンプルコンテンツである各画像４３０，４４０，４５０，４６０，４７０を表示部１１１Ａで表示させる場合、または、コンテンツ３２１の一部をサンプルコンテンツとして表示させる場合、機能リスト画像６００をあわせて表示させる。
この後、設定調整手段１３２は、操作信号に基づく調整バー６０５の移動後の位置に基づいて設定値を認識して（ステップＳ３５）、この設定値の状態でサンプルコンテンツを表示あるいは音声で出力させ、他の機能が選択されたか否かを判断する（ステップＳ３６）。そして、ステップＳ３６において、選択されたと判断した場合、ステップＳ３３の処理をして、選択されずに設定を終了する旨を認識すると、処理を終了する。
また、設定調整手段１３２は、ステップＳ３３において、サンプルコンテンツがないと判断した場合、サンプルコンテンツを出力させずに、ステップＳ３５の処理をする。【００５４】
ここで、上述の出力形態情報３４０の生成処理について、より具体的な例示を挙げて説明する。なお、コンテンツ３２１の名称は「ＴＴＴＴ」、表示装置１００の製造会社は「Ｐ社」、型式は「ＡＢＣ−１２３」とする。
まず、図１７に示すステップＳ１において、ディスク（ＤＶＤ）３１０の再生が選択されると、そのディスク３１０のどのファイルを再生するかを確認するメニュー画面を表示させる。ここで、「最初から再生」のメニューが選択された場合、全てのファイルを再生すると認識する。また、「画質、音質を設定」というメニューが選択された場合、出力形態設定装置１２１は、コンテンツ特定情報であるディスク３１０の名称、ディスク３１０を特定する番号、コンテンツ３２１のチャプタ番号などを取得して、コンテンツ３２１を特定する。なお、ディスク３１０の名称および特定する番号のみでも構わない。ここでは、図２３に示す設定画像７００が表示され、画質音質設定メニュー７０１が選択されると、コンテンツ特定情報に基づきコンテンツ３２１を特定する。
なお、ＤＶＤ３１０が挿入された時点、あるいは、コンテンツ３２１が自動再生された時点で、自動的にＤＶＤ３１０をスキャンして、コンテンツ特定情報を取得する構成としてもよい。
そして、ステップＳ２で、内蔵メモリ１１２の自装置情報１７０に基づいて表示装置１００の製造会社、型式を特定し、ステップＳ３で、コンテンツ３２１がディスク３１０にあることを確認する。
この後、出力形態設定装置１２１は、ステップＳ４でディスク３１０に設定利用情報３３０が記憶されているかを確認する。ここでは、ディスク３１０に設定利用情報３３０が記憶されているとする。なお、ディスク３１０に設定利用情報３３０の代わりに、インターネット２００を介して設定利用情報３３０を入手するためのアドレス情報が記憶されていても構わない。そして、ステップＳ５で、ディスク３１０から設定利用情報３３０を取得して、ステップＳ１６の処理、すなわち図２０に示す設定調整処理を実施する。ここでは、表示装置１００の製造会社、型式、コンテンツ３２１の名称に基づいて、図３に示された上側の設定利用情報３３０を取得する。【００５５】
そして、出力形態設定装置１２１は、ステップＳ３１で設定利用情報３３０に基づいて、図２４に示すような機能リスト画像６１０を表示させる。この機能リスト画像６１０では、現在設定されている画質や音質の項目情報６１６の上に、調整マーク６１５を表示させている。この後、ステップＳ３２で、例えば図示しないカーソルにより「コントラスト」が選択されたことを認識すると、ステップＳ３４で、この選択された機能「コントラスト」のサンプルコンテンツがディスク３１０に記録されているか、または、サンプルコンテンツが記録されているインターネットアドレスがディスク３１０に記録されているかを判断する。そして、出力形態設定装置１２１は、サンプルコンテンツがディスク３１０またはインターネット２００にあると判断した場合、ステップＳ３４の処理をして、ないと判断した場合、ステップＳ３５の処理をする。【００５６】
ステップＳ３４では、出力形態設定装置１２１は、サンプルコンテンツとして図５に示すコントラスト画像４３０を取得して、図２５に示すコントラスト調整画像６２０を表示させる。このコントラスト調整画像６２０では、コントラスト画像４３０の下に、例えば「第１の比較領域は背景領域に溶け込ませ、第２〜第８の比較領域を背景領域に溶け込ませずに判別できるようにコントラストを調整して下さい。」という内容の画質調整ポイント情報６２９を表示させる。この画質調整ポイント情報６２９に基づきユーザが調整マーク６１５の位置を調整することにより、コントラスト画像４３０のコントラストを適切に調整することができる。この調整により、調整マーク６１５は、通常は推奨状態範囲画像６０３の中央近傍に位置することになる。ただし、装置ばらつきや経時変化により、調整マーク６１５が推奨状態範囲画像６０３の中央からずれることもある。また、ユーザによっては、画質調整ポイント情報６２９の指定よりも、自分の好みや部屋の明るさの条件などにより調整をずらすことも考えられる。コントラストの調整が完了すると、ユーザにより「戻る」ボタンが選択される。【００５７】
そして、出力形態設定装置１２１は、「戻る」ボタンが選択されると、ステップＳ３５により、そのときの「コントラスト」の設定値を認識する。
なお、サンプルコンテンツであるコントラスト画像４３０がない場合は、出力形態設定装置１２１は、コントラスト画像４３０なしで図２５のコントラスト調整画像６２０を表示させる。ユーザは、推奨状態範囲画像６０３や推奨値を参考にして、コントラストを調整する。この際、画質調整ポイント情報６２９が表示されることが望ましい。そして、コントラストの調整が完了してユーザにより「戻る」ボタンが選択されると、そのときの「コントラスト」の設定値を認識する。【００５８】
さらに、ステップＳ３６で他の機能が選択されたか否かを判断する。具体的には、図２４の機能リスト画像６１０で「戻る」ボタンが選択された場合、調整を終了すると判断して、例えば図２３の設定画像７００に、その調整結果を調整マーク６１５などを利用して表示させる。
一方、Ｓ３６で他の機能が選択されると、以下のように「コントラスト」と同様に調整を実施する。すなわち機能リスト画像６１０で「輝度」が選択されると、図６に示すような輝度画像４４０と、画質調整ポイント情報６２９と、輝度の現在の設定値を表す調整マーク６１５と、推奨設定範囲を示す推奨状態範囲画像６０３などから構成される輝度調整画像が表示される。このようにして機能リスト情報３３３に記録されたコントラスト、輝度、色の濃さ、色相、シャープネス、色温度を設定する。
なお、各機能の設定を選択したときに、コンテンツ３２１中から取得したサンプルコンテンツを表示させる場合、このサンプルコンテンツ開始アドレスと終了アドレスは、図３に示すサンプル情報３３６に記録されているものを利用する。また、終了アドレスは必ずしも記録されていないくても構わない。【００５９】
また、出力形態設定装置１２１は、フィルムモードの設定が選択されると、図２６に示すように、フィルムモードを「オン」としたときのオンサンプル画像６３１と、「オフ」したときのオフサンプル画像６３２とを２画面表示させたフィルムモード設定画像６３０を表示させる。各サンプル画像６３１，６３２は、フィルムモードの効果が大きいコンテンツ３２１中の画像を使用してもいいし、当該コンテンツ３２１とは関係のない一般的な画像を使用してもいい。フィルムモードの「オン」と「オフ」の相違がユーザに分かりやすい画像であれば構わない。
また、出力形態設定装置１２１は、音響効果の設定が選択されると、図２７に示すように、当該コンテンツ３２１の中で音響効果の設定に適した部分のサンプル映像６４１を含む音響効果設定画像６４０を表示させるとともに、サンプル映像６４１の音を出力させる。例えば１分間、その部分を繰り返し表示したり出力したりする。音響効果の設定を変えて再スタートボタン６４２が選択されると、サンプル映像６４１を最初から再生する。同様に周波数特性の設定が選択されると、当該コンテンツ３２１の中で周波数特性の設定に適した部分のサンプル映像と音とが出力され、音響効果と同様に調整を行うことができる。【００６０】
そして、各機能の設定が完了して「戻る」ボタンが選択されると、図２３の設定画像７００を表示させる。この設定画像７００には、ここでは図示しないが、そのときの各機能の設定状態と推奨設定範囲が表示される。ユーザは、全項目の設定が完了すると設定画像７００を表示させ、各機能の設定状態と推奨設定範囲を確認し、コンテンツ３２１のチャプタを示すＣａｐ．１〜Ｃａｐ．５のいずれかのボタンを選択することで、コンテンツ３２１の再生を開始させる。なお、チャプタを選択する替わりに、「コンテンツ開始」ボタンを選択する構成でも構わない。
出力形態設定装置１２１は、Ｃａｐ．１〜Ｃａｐ．５のいずれかのボタン、あるいは、「コンテンツ開始」ボタンが選択されると、ステップＳ１７の処理として、図２８に示すような設定保存確認画像６５０を表示させる。そして、ユーザにより「設定調整処理の設定を保存しますか」の問いかけに対して、「Ｎｏ」ボタンが選択された場合、出力形態情報３４０の生成処理を終了して、ディスク３１０のコンテンツ３２１を、つまり本編を直前に確認した設定画像７００の現在の設定条件にて再生する。一方、出力形態設定装置１２１は、「Ｙｅｓ」ボタンが選択された場合、ステップＳ１８で、Ｓ１においてコンテンツ特定情報である出力用識別情報３２２を取得できているかを判断する。そして、取得できている場合にステップＳ１９の処理し、取得できていない場合にステップＳ２２の処理をする。【００６１】
ステップＳ１９の後のステップＳ２０では、出力形態設定装置１２１は、図２９に示すような名称情報入力画像６６０を表示させ、ユーザに出力形態情報３４０の名称の入力を要求する。入力方法として、数字のみを使用する方法、アルファベットと数字を用いる方法など、既存の方法を用いて、ユーザは、出力形態情報３４０の名称を入力する。また、ユーザは、出力形態情報３４０の名称の入力を省くこともできる。しかし、同じディスク３１０の同じコンテンツ３２１でも、自分の視聴する条件や気分により設定調整処理の設定を変えたい場合は、その設定毎に出力形態情報３４０の名称（設定固有情報３４１）を入力することにより、各設定を区別することができ、後日登録した設定調整処理の設定を利用するときに便利である。
そして、出力形態設定装置１２１は、ステップＳ２１で、設定固有情報３４１と、設定利用情報３３０と、ユーザ設定値情報３４４と、を有する出力形態情報３４０を生成する。このとき生成される出力形態情報３４０のチャプタ情報３２３には、情報が記録されていない。
この後、出力形態設定装置１２１は、図３０に示すような保存場所確認画像６７０を表示させる。すなわち、出力形態情報３４０をディスク３１０、コンテンツサーバ装置４００、放送局５００、内蔵メモリ１１２、ストレージ１８０のうちのどれに保存するかを、ユーザに選択させる。そして、ステップＳ２４，Ｓ２６，Ｓ２７の処理をして、ユーザにより選択された保存場所を認識して、ステップＳ２５の処理をする。【００６２】
ステップＳ２５では、出力形態設定装置１２１は、Ｓ１９においてユーザにより選択されたディスク３１０、コンテンツサーバ装置４００、放送局５００、内蔵メモリ１１２、ストレージ１８０のいずれかに出力形態情報３４０を保存する。
設定調整処理の設定をディスク３１０に保存する場合、コンテンツ出力用情報３２０が記録されたディスク３１０の出力形態情報３４０のユーザ設定値情報３４４に、ユーザの設定した設定値が保存される。なお、図２では、ディスク３１０に設定利用情報３３０と出力形態情報３４０の記憶領域があるように記載しているが、出力形態情報３４０のユーザ設定値情報３４４のみを登録しても構わない。同じディスク３１０の同じコンテンツ３２１でも自分の視聴する条件や気分により設定調整処理の設定を変えたい場合は、その設定毎に設定固有情報３４１をディスク３１０に記憶させ、この設定固有情報３４１と関連付けてユーザ設定値情報３４４をディスク３１０に記憶させる。
また、設定調整処理の設定をコンテンツサーバ装置４００に保存すると認識して、インターネット２００経由でコンテンツサーバ装置４００に出力形態情報３４０を登録することができる。この場合は、通常は当該コンテンツサーバ装置４００には、設定利用情報３３０が記録されていないので、図１０に示す出力形態情報３４０の全項目を設定する方が望ましいが、ユーザ設定値情報３４４以外の一部の情報が欠けても構わない。このことは、後述する設定調整処理の設定を放送局５００、内蔵メモリ１１２、ストレージ１８０に保存する場合も同様である。外部のコンテンツサーバ装置４００に出力形態情報３４０を登録することにより、他のユーザがこれを参考にすることができる。勿論、登録したユーザ自身も次回視聴するときにその情報を利用することができる。【００６３】
さらに、設定調整処理の設定を放送局５００に保存すると認識して、出力形態情報３４０を放送局に登録することができる。ここで、放送局５００とは、例えばユーザが会員登録しているＶＯＤサービスの放送局である。ユーザは、自分の視聴履歴と、その視聴時の出力形態情報３４０を放送局に登録することにより、次回視聴するときにその情報を利用することができる。
また、設定調整処理の設定を内蔵メモリ１１２やストレージ１８０に保存すると認識して、出力形態情報３４０を内蔵メモリ１１２やストレージ１８０に登録することができる。ユーザは、自分の視聴履歴と、その視聴時の出力形態情報３４０を内蔵メモリ１１２やストレージ１８０に登録することにより、次回視聴するときにその情報を利用することができる。【００６４】
一方、ステップＳ２２では、出力形態設定装置１２１は、コンテンツ３２１のチャプタ情報３２３に基づいて、コンテンツ３２１のチャプタ数、各チャプタの時間、全体時間の確認処理を実施する。
また、ステップＳ２３では、コンテンツ３２１のチャプタ数、各チャプタの時間、全体時間の確認処理ができたかを判断し、確認できたと判断した場合、この確認内容からコンテンツ３２１を特定する。例えばインターネット２００の特定サイトにより、この確認内容からコンテンツ３２１を識別する。また、内蔵メモリ１１２やストレージ１８０に予め記憶されているコンテンツ３２１のチャプタ数、各チャプタの時間、全体時間と一致するものをチェックし、一致するコンテンツ３２１があれば、そのコンテンツ３２１と認識する。また、これらの処理によりコンテンツ３２１を特定することができなくても、その後のステップＳ２０において、ユーザは、設定固有情報３４１を入力するので、この設定固有情報３４１によりコンテンツ３２１を識別することは可能である。従って、この場合、ステップＳ２０において、設定固有情報３４１の入力を省くことはできない。【００６５】
〔コンテンツの出力処理〕
次に、コンテンツ３２１の出力処理について説明する。
図３１および図３２は、コンテンツの出力処理を示すフローチャートである。【００６６】
コンテンツ出力システム１の表示装置１００を構成する出力処理制御部１２０は、図３１に示すように、コンテンツ取得手段１２２にて、操作信号に基づく出力対象のコンテンツ３２１を取得する（ステップＳ４１）。また、出力形態情報取得手段１３４は、自装置情報１７０に基づき自装置を特定する（ステップＳ４２）。この後、出力形態情報取得手段１３４は、コンテンツ特定情報取得手段１３１でコンテンツ３２１の出力用識別情報３２２を取得可能か否かを判断する（ステップＳ４３）。
このステップＳ４３において、出力形態情報取得手段１３４は、出力用識別情報３２２を取得可能であると判断した場合、この出力用識別情報３２２を取得させるとともに、コンテンツ３２１がディスク３１０に記憶されたものか否かを判断する（ステップＳ４４）。一方、ステップＳ４３において、出力用識別情報３２２を取得不可能であると判断した場合、コンテンツ特定情報取得手段１３１でチャプタ情報３２３を取得させて、このチャプタ情報３２３に基づくコンテンツ３２１のチャプタ数、各チャプタの時間、全体時間の確認処理を実施させて（ステップＳ４５）、チャプタ数などを確認できたかを判断する（ステップＳ４６）。そして、ステップＳ４６において、確認できたと判断した場合、ステップＳ４４の処理をして、確認できないと判断した場合、出力切換処理部１１４により現状の機能の設定を維持したままコンテンツ３２１を出力させる（ステップＳ４７）。【００６７】
また、ステップＳ４４において、出力形態情報取得手段１３４は、コンテンツ３２１がディスク３１０に記憶されたものであると判断した場合、このコンテンツ３２１の出力用識別情報３２２やチャプタ情報３２３と内容が一致する設定利用名称情報３３１および設定利用ジャンル情報３３２あるいはチャプタ情報３２３を有し、かつ、自装置の特定内容が装置特定情報３３５に記録されている出力形態情報３４０がディスク３１０に記録されているか否かを判断する（ステップＳ４８）。そして、ステップＳ４８において、出力形態情報取得手段１３４は、記憶されていると判断した場合、この出力形態情報３４０を取得する（ステップＳ４９）。そして、出力切換処理部１１４は、コンテンツ３２１の機能設定を出力形態情報３４０のユーザ設定値情報３４４の内容に調整して（ステップＳ５０）、コンテンツ３２１を出力させる（ステップＳ４７）。【００６８】
一方、ステップＳ４４において、コンテンツ３２１がディスク３１０に記憶されたものでなく、コンテンツサーバ装置４００、放送局５００、内蔵メモリ１１２、ストレージ１８０に記憶されたものであると判断した場合、このコンテンツ３２１および自装置に対応する出力形態情報３４０がストレージ１８０に記憶されているか否かを判断する（ステップＳ５１）。また、出力形態情報取得手段１３４は、ステップＳ４８において、ディスク３１０のコンテンツ３２１に対応する出力形態情報３４０がディスク３１０に記憶されていないと判断した場合も、ステップＳ５１の処理をする。このステップＳ５１の処理では、出力用識別情報３２２の名称、ジャンルが記録された各情報３３１，３３２と、自装置情報１７０の内容が記録された装置特定情報３３５とを有する出力形態情報３４０が記憶されているか否かを判断する。
そして、ステップＳ５１において、ストレージ１８０に記憶されていると判断した場合、出力形態情報３４０を取得し（ステップＳ４９）、ステップＳ５０，Ｓ４７の処理をすることで、設定機能が出力形態情報３４０のユーザ設定値情報３４４の内容に調整されたコンテンツ３２１を出力させる。
また、ステップＳ５１において、出力形態情報取得手段１３４は、ストレージ１８０に記憶されていないと判断した場合、内蔵メモリ１１２に記憶されているか否かを判断し（ステップＳ５２）、記憶されていると判断した場合、ステップＳ４９の処理をし、記憶されていないと判断した場合、ステップＳ４７の処理をする。【００６９】
そして、ステップＳ４７の処理の後、出力形態情報変更手段１３５は、操作信号に基づき機能の設定を変更するか否かを判断する（ステップＳ５３）。このステップＳ５３において、変更しないと判断した場合、コンテンツ３２１の出力を終了させるか否かを判断し（ステップＳ５４）、終了させると判断した場合、出力を終了させ、終了させないと判断した場合、ステップＳ５３の処理をする。また、ステップＳ５３において、出力形態情報変更手段１３５は、設定変更すると判断した場合、設定調整手段１３２に図２０に示す設定調整処理を実施させる（ステップＳ１６）。
この後、出力切換処理部１１４は、設定調整処理で設定された内容に基づく状態でコンテンツ３２１の出力を更新する（ステップＳ５５）。そして、出力形態情報変更手段１３５は、この設定を保存するか否かを判断し（ステップＳ５６）、保存しないと判断した場合、ステップＳ５４の処理をする。また、ステップＳ５６において、出力形態情報変更手段１３５は、保存すると判断した場合、ステップＳ４９で取得した出力形態情報３４０のユーザ設定値情報３４４を設定調整処理で設定された内容に更新して（ステップＳ５７）、ステップＳ５４の処理をする。【００７０】
［コンテンツ出力システムの作用効果〕
上述したように、コンテンツ出力システム１では、以下のような作用効果を奏することができる。【００７１】
（１）表示装置１００の出力形態設定装置１２１は、出力手段１１１で出力させるコンテンツ３２１の出力用識別情報３２２に基づいて、コンテンツ３２１に対応する出力形態情報３４０を取得する。この後、出力形態設定装置１２１は、出力形態情報３４０に基づいて、出力切換処理部１１４で設定可能な機能のうち、コンテンツ３２１に対して設定されている少なくとも１個の機能を表す機能リスト画像６００を表示させる。そして、出力形態設定装置１２１は、操作信号に基づいて、機能リスト画像６００で表示された機能の設定を変更する。
このため、コンテンツ３２１の内容やユーザの好みに応じて、各コンテンツ３２１に対して異なる機能を設定することができ、各コンテンツ３２１に対して全ての出力形態を設定する必要がある従来の構成と比べて、各コンテンツ３２１に対して適切に機能を設定できる。【００７２】
（２）出力形態設定装置１２１は、機能リスト画像６００で各機能の推奨状態を表示させる。
このため、ユーザによるコンテンツ３２１の機能設定操作を補助でき、表示装置１００の利便性を向上できる。【００７３】
（３）出力形態設定装置１２１は、機能設定を変更する旨を認識すると、コンテンツ３２１の一部をサンプルコンテンツとして取得して、このサンプルコンテンツを操作信号に基づく調整状態で表示させる。
このため、ユーザが視聴するコンテンツ３２１自体の画像や音声を用いて機能設定を調整させることができ、より適切にコンテンツ３２１の機能を設定させることができる。【００７４】
（４）出力形態設定装置１２１は、サンプル情報３３６のアドレスに基づいて、コンテンツ３２１からサンプルコンテンツを取得する。
このため、コンテンツ３２１ごとに機能調整に適切なサンプルコンテンツを設定することができ、適切に機能設定を補助できる。【００７５】
（５）出力形態情報３４０に、設定利用名称情報３３１および設定利用ジャンル情報３３２を設けている。そして、出力形態設定装置１２１は、出力用識別情報３２２と同じ内容が記録された設定利用名称情報３３１および設定利用ジャンル情報３３２を有する出力形態情報３４０を取得する。
このため、出力形態情報３４０とコンテンツ３２１とが異なる装置や記憶手段に記憶されている場合であっても、コンテンツ３２１に対応する出力形態情報３４０を確実に取得できる。【００７６】
（６）コンテンツ出力用情報３２０および出力形態情報３４０に、チャプタ情報３２３を設けている。そして、出力形態設定装置１２１は、コンテンツ特定情報取得手段１３１で取得したチャプタ情報３２３と内容が一致する出力形態情報３４０を取得する。
このため、コンテンツ出力用情報３２０に出力用識別情報３２２が設けられておらず、コンテンツ３２１に名称やジャンルが関連付けられていない場合でも、コンテンツ３２１ごとに異なる可能性が高いチャプタ数、各チャプタの出力時間、コンテンツ３２１全体の出力時間に基づいて、コンテンツ３２１に対応する出力形態情報３４０を確実に取得できる。【００７７】
（７）表示装置１００にストレージ１８０を着脱可能なストレージドライブ１１３を設け、ストレージ１８０に出力形態情報３４０を記憶させている。
このため、ユーザが異なる場所に設置された表示装置１００を利用する場合でも、ストレージ１８０の携行によりユーザの好みに応じた機能の設定状態でコンテンツ３２１を視聴させることができる。【００７８】
（８）コンテンツ出力システム１を、表示装置１００と、映像音声出力機器３００と、コンテンツサーバ装置４００と、放送局５００と、で構成している。そして、表示装置１００は、映像音声出力機器３００に装着されたディスク３１０、コンテンツサーバ装置４００、放送局５００のいずれかから送信されるコンテンツ３２１を出力形態情報３４０に基づく機能設定で出力させる。
このため、ユーザに多くの種類のコンテンツ３２１を所望の機能設定状態で視聴させることができる。【００７９】
（９）ディスク３１０に、コンテンツ３２１と、このコンテンツ３２１に対応する出力形態情報３４０と、を記憶させている。
このため、ユーザが異なる場所に設置された映像音声出力機器３００を利用する場合でも、ディスク３１０の携行によりユーザの好みに応じた機能の設定状態でコンテンツ３２１を視聴させることができる。特に、出力形態情報３４０をコンテンツ３２１とともに１枚のディスク３１０に記憶させているので、コンテンツ３２１を所望の出力形態で確実に視聴させることができる。【００８０】
（１０）出力形態設定装置１２１は、映像音声出力機器３００に装着されたディスク３１０、コンテンツサーバ装置４００、放送局５００のいずれかからコンテンツ３２１とともに送信され、このコンテンツ３２１のみに対応する機能が設定されている設定利用情報３３０を取得する。そして、この設定利用情報３３０に基づいて、出力形態情報３４０を生成する。
ここで、コンテンツ３２１とともに取得する設定利用情報３３０は、例えばコンテンツ３２１の制作者などにより機能設定が適切に、あるいは、制作者が意図するように行われている可能性が高い。このため、ユーザは、この設定利用情報３３０に基づき生成された出力形態情報３４０に基づいて、機能がコンテンツ３２１に対して適切に、あるいは、制作者の意図にあうように設定されたコンテンツ３２１を視聴できる。【００８１】
（１１）出力形態設定装置１２１は、放送局５００からのＥＰＧ情報５１０に基づく電子番組表５２０を表示させ、カーソル５２１により選択されたコンテンツ３２１の出力形態情報３４０を生成する。
このため、コンテンツ３２１の出力前にユーザの好みに対応する出力形態情報３４０を生成でき、ユーザの好みに応じた機能の設定状態でコンテンツ３２１を最初から視聴させることができる。【００８２】
（１２）設定利用情報３３０に、装置特定情報３３５を設けている。そして、出力形態設定装置１２１は、表示装置１００の特定内容が記録されている装置特定情報３３５を有する設定利用情報３３０に基づいて、出力形態情報３４０を生成する。
このため、表示装置１００の製造会社や型式が異なるために設定可能な機能や機能設定調整時の基準値が異なる場合でも、適切に機能が設定されたコンテンツ３２１を視聴させることができる。【００８３】
［実施形態の変形］
なお、本発明は、上述した一実施形態に限定されるものではなく、本発明の目的を達成できる範囲で以下に示される変形をも含むものである。【００８４】
すなわち、出力形態情報３４０に、推奨設定情報３３４、装置特定情報３３５のうち少なくとも一方を設けなくてもよい。また、出力形態情報３４０にサンプル情報３３６を設けなくてもよい。
また、コンテンツ３２１からサンプルコンテンツを取得する方法としては、コンテンツ３２１中の予め設定された位置のコンテンツ３２１を取得する方法、ユーザの設定入力に基づく位置のコンテンツ３２１を取得する方法を適用してもよい。【００８５】
そして、本発明の出力形態設定装置をいわゆるビデオオンデマンドに適用してもよい。具体的には、ビデオオンデマンドのサーバ装置に、予めユーザの表示装置１００を登録しておき、ユーザにより視聴したいコンテンツ３２１が選択された際に、ユーザの表示装置１００およびコンテンツ３２１に対応する出力形態情報３４０をコンテンツ３２１とともにユーザに送信して視聴させてもよい。また、ユーザによりコンテンツ３２１が選択された際に、複数の表示装置１００およびコンテンツ３２１に対応する出力形態情報３４０をコンテンツ３２１とともにユーザに送信して、ユーザに表示装置１００に対応する出力形態情報３４０を選択させてもよい。さらに、ユーザにより出力形態情報３４０が更新されたら、その設定値をサーバ装置で保存してもよい。そして、複数のユーザから収集したコンテンツ３２１および表示装置１００に対応する各機能の設定値のデータベースを作成して、各機能のユーザ推奨設定値を設定してもよい。【００８６】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。【００８７】
その他、本発明の実施の際の具体的な構造および手順は、本発明の目的を達成できる範囲で他の構造などに適宜変更できる。【００８８】
［実施形態の効果］
上述したように、上記実施形態では、表示装置１００の出力形態設定装置１２１は、出力手段１１１で出力させるコンテンツ３２１の出力形態情報３４０に基づいて、出力切換処理部１１４で設定可能な機能のうち、コンテンツ３２１に対して設定されている少なくとも１個の機能を表す機能リスト画像６００を表示させる。そして、出力形態設定装置１２１は、操作信号に基づいて、機能リスト画像６００で表示された機能の設定を変更する。
このため、コンテンツ３２１の内容やユーザの好みに応じて、各コンテンツ３２１に対して異なる機能を設定することができ、各コンテンツ３２１に対して全ての出力形態を設定する必要がある従来の構成と比べて、各コンテンツ３２１に対して適切に機能を設定できる。
【産業上の利用可能性】
【００８９】
本発明は、コンテンツに対する出力形態の設定状態に関する処理をする出力形態設定装置、その方法、そのプログラム、そのプログラムを記録した記録媒体、コンテンツ出力システム、および、コンテンツ記録媒体として利用できる。
【図１】
2010023750.tif 000003
【図２】
2010023750.tif 000004
【図３】
2010023750.tif 000005
【図４】
2010023750.tif 000006
【図５】
2010023750.tif 000007
【図６】
2010023750.tif 000008
【図７】
2010023750.tif 000009
【図８】
2010023750.tif 000010
【図９】
2010023750.tif 000011
【図１０】
2010023750.tif 000012
【図１１】
2010023750.tif 000013
【図１２】
2010023750.tif 000014
【図１３】
2010023750.tif 000015
【図１４】
2010023750.tif 000016
【図１５】
2010023750.tif 000017
【図１６】
2010023750.tif 000018
【図１７】
2010023750.tif 000019
【図１８】
2010023750.tif 000020
【図１９】
2010023750.tif 000021
【図２０】
2010023750.tif 000022
【図２１】
2010023750.tif 000023
【図２２】
2010023750.tif 000024
【図２３】
2010023750.tif 000025
【図２４】
2010023750.tif 000026
【図２５】
2010023750.tif 000027
【図２６】
2010023750.tif 000028
【図２７】
2010023750.tif 000029
【図２８】
2010023750.tif 000030
【図２９】
2010023750.tif 000031
【図３０】
2010023750.tif 000032
【図３１】
2010023750.tif 000033
【図３２】
2010023750.tif 000034
【手続補正書】
【提出日】平成23年2月3日(2011.2.3)
【手続補正１】
【補正対象書類名】明細書
【補正対象項目名】全文
【補正方法】変更
【補正の内容】
【発明の詳細な説明】
【技術分野】
【０００１】
本発明は、コンテンツに対する出力形態の設定状態に関する処理をする出力形態設定装置およびコンテンツ出力システムに関する。
【背景技術】
【０００２】
従来、映像や音楽のコンテンツのジャンルに対応した画質や音質の設定を記憶手段などに記憶させておき、コンテンツを出力する際に、記憶手段からこのコンテンツに設定を読み出して、画質や音質を調整する構成が知られている（例えば、特許文献１〜３参照）。
特許文献１に記載のものは、プレイリストのタイプ情報やコンテンツのジャンルに適合し予め設定された音質音場調整値がタイプ情報やジャンルと関連付けられて、画質音質音場調整設定値保持手段に保存されている。そして、表示手段にメニューを表示させて目的のコンテンツが含まれるプレイリストを選択させる。この後、このプレイリストのタイプ情報を取得して、タイプ情報に適した音質音場調整値にコンテンツの音質を調整する構成が採られている。
特許文献２に記載のものは、接続された表示装置で表示される映像のジャンルを認識し、このジャンルに応じた明るさの値をＲＯＭから読み込む。そして、表示装置の現在の明るさの設定値が不明なため、表示装置の明るさを下限値に設定した後にＲＯＭから読み込んだ値に調整することで、ジャンルに応じた明るさの調整を表示装置に対して行うとともに、同様にして色の濃さや色合いの調整を行う構成が採られている。
特許文献３に記載のものは、曲の音楽データが、この音楽データのジャンルに適した音質データに関連付けられてメモリカードに記録されている。そして、音楽データを再生するときに、この音楽データに関連付けられた音質データに従う音質で再生する構成が採られている。
【先行技術文献】
【特許文献】
【０００３】
【特許文献１】特開２００６−１０８８４３号公報
【特許文献２】特開２００２−１１８７６９号公報
【特許文献３】特開２００２−２８７７７４号公報
【発明の概要】
【発明が解決しようとする課題】
【０００４】
ところで、例えば設定される画質の出力形態としては、コントラスト、輝度、色の濃さ、色相、シャープネス、色温度、音質などの複数のものが挙げられる。例えばある映画についてその映画監督が推奨する画質の出力形態を記録媒体に記憶しておき、この映画を再生するときにこの記録媒体からその出力形態を読み出して自動的に設定するというような再生装置が考えられる。しかし、例えばユーザの所有するテレビのメーカ名、機種名に対応したある映画の音質、画質設定情報がネットワークに登録されていても、テレビの個別ばらつき、ユーザの好み、ユーザのそのときの視聴条件（視聴する時間帯、部屋の照度等）、ユーザのそのときの気分等によっても最適設定条件は異なる。また、結果的には登録された音質、画質設定情報で視聴するとしても、予めどのような音質、画質設定かを確認したいというユーザもいる。
【０００５】
本発明の目的は、コンテンツに対してユーザの個別の要望に応じて、適切に出力形態を設定可能な出力形態設定装置およびコンテンツ出力システムを提供することである。
【課題を解決するための手段】
【０００６】
本発明の出力形態設定装置は、コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置に設けられ、前記コンテンツに対する出力形態の設定状態に関する処理をする出力形態設定装置であって、前記出力手段で出力させるコンテンツを特定するコンテンツ特定情報を取得するコンテンツ特定情報取得手段と、前記複数の出力形態のうち少なくとも１個の出力形態の設定状態が記録されるとともに前記取得したコンテンツ特定情報で特定されるコンテンツに関連付けられた出力形態情報を取得する出力形態情報取得手段と、この取得した出力形態情報に基づく前記設定状態を前記出力手段で出力させる設定状態出力制御手段と、入力操作に応じた操作信号を出力する入力手段からの前記操作信号に基づいて、前記取得した出力形態情報の前記設定状態を変更する出力形態情報変更手段と、コンテンツを特定する情報が記録された前記出力形態情報を記憶する出力形態情報記憶手段と、を具備し、前記出力形態情報取得手段は、前記コンテンツ特定情報と同一の内容が記録された前記出力形態情報を前記出力形態情報記憶手段から取得することを特徴とする。
【０００７】
本発明のコンテンツ出力システムは、コンテンツを取得するコンテンツ取得手段と、この取得したコンテンツを互いに異なる複数の出力形態を設定した状態で出力手段により出力可能なコンテンツ出力制御手段と、前記コンテンツに対する出力形態の設定状態に関する処理をする上述の出力形態設定装置と、を具備したコンテンツ出力制御装置と、このコンテンツ出力制御装置にネットワークを介して接続されたサーバ装置と、を具備し、前記サーバ装置は、前記コンテンツと、複数のコンテンツの配信予定に関する配信予定情報および前記配信予定のコンテンツに関する前記コンテンツ特定情報を有する配信情報と、を前記コンテンツ出力制御装置へ送信し、前記コンテンツ取得手段は、前記サーバ装置から前記コンテンツを取得し、前記コンテンツ出力制御装置は、前記サーバ装置から前記配信情報を取得して前記設定状態出力制御手段により前記配信情報に基づく配信予定を前記出力手段で出力させ、前記操作信号に基づいて前記配信予定のコンテンツが選択されたことを認識すると、この選択されたコンテンツの前記出力形態情報を生成する出力形態情報生成手段を具備することを特徴とする。
【図面の簡単な説明】
【０００８】
【図１】本発明の一実施形態に係るコンテンツ出力システムの概略構成を示すブロック図である。
【図２】前記一実施形態における映像音声出力機器の概略構成を示すブロック図である。
【図３】前記一実施形態におけるコンテンツの一部をサンプルコンテンツとして利用する場合における設定利用情報の概略構成を示す模式図である。
【図４】前記一実施形態におけるコンテンツと直接関係ない一般的なサンプルコンテンツを利用する場合における設定利用情報の概略構成を示す模式図である。
【図５】前記一実施形態におけるコトンラスト画像を示す模式図である。
【図６】前記一実施形態における輝度画像を示す模式図である。
【図７】前記一実施形態における第１の濃さ色相画像を示す模式図である。
【図８】前記一実施形態における第２の濃さ色相画像を示す模式図である。
【図９】前記一実施形態におけるシャープネス画像を示す模式図である。
【図１０】前記一実施形態におけるコンテンツの一部をサンプルコンテンツとして利用する場合における出力形態情報の概略構成を示す模式図である。
【図１１】前記一実施形態におけるコンテンツと直接関係ない一般的なサンプルコンテンツを利用する場合における出力形態情報の概略構成を示す模式図である。
【図１２】前記一実施形態におけるコンテンツサーバ装置の概略構成を示すブロック図である。
【図１３】前記一実施形態における放送局の概略構成を示すブロック図である。
【図１４】前記一実施形態における表示装置の概略構成を示すブロック図である。
【図１５】前記一実施形態における内蔵メモリに記憶された各情報を示す模式図である。
【図１６】前記一実施形態における出力処理制御部の概略構成を示すブロック図である。
【図１７】前記一実施形態における出力形態情報の生成処理を示すフローチャートである。
【図１８】前記一実施形態における電子番組表に基づくコンテンツの特定状態を示す模式図である。
【図１９】前記一実施形態における出力形態情報の生成処理を示すフローチャートである。
【図２０】前記一実施形態における設定調整処理を示すフローチャートである。
【図２１】前記一実施形態における機能リスト画像を示す模式図である。
【図２２】前記一実施形態における機能リスト画像を示す模式図である。
【図２３】前記一実施形態における設定画像を示す模式図である。
【図２４】前記一実施形態における機能リスト画像を示す模式図である。
【図２５】前記一実施形態におけるコントラスト調整画像を示す模式図である。
【図２６】前記一実施形態におけるフィルムモード設定画像を示す模式図である。
【図２７】前記一実施形態における音響効果設定画像を示す模式図である。
【図２８】前記一実施形態における設定保存確認画像を示す模式図である。
【図２９】前記一実施形態における名称情報入力画像を示す模式図である。
【図３０】前記一実施形態における保存場所確認画像を示す模式図である。
【図３１】前記一実施形態におけるコンテンツの出力処理を示すフローチャートである。
【図３２】前記一実施形態におけるコンテンツの出力処理を示すフローチャートである。
【発明を実施するための形態】
【０００９】
以下、本発明の一実施形態を図面に基づいて説明する。
この一実施形態では、出力形態としての表示形態であるコントラスト（ピクチャ）、輝度、色の濃さ、色相、シャープネス、色温度、フィルムモード、あるいは音声出力形態である音響効果、周波数特性の機能を所定の状態に設定してコンテンツの画像を表示装置で表示させるコンテンツ出力システムを例示して説明する。
ここで、フィルムモードとは、例えば、毎秒６０コマで表示させる表示装置において通常毎秒２４コマで撮影されている映画フィルムを表示させる際に、映画フィルムの同じコマを複数回連続して表示することで毎秒６０コマの表示を実現するモードを意味する（例えば、特開２００１−３３３３９１参照）。
なお、ここでは、コンテンツ出力システムで処理するコンテンツとして、映像および音声を含む構成を例示するが、映像のみ、あるいは音声のみのコンテンツを処理対象としてもよい。
【００１０】
［コンテンツ出力システムの構成］
まず、コンテンツ出力システムの構成について説明する。
図１は、コンテンツ出力システムの概略構成を示すブロック図である。図２は、映像音声出力機器の概略構成を示すブロック図である。図３は、コンテンツの一部をサンプルコンテンツとして利用する場合における設定利用情報の概略構成を示す模式図である。図４は、コンテンツと直接関係ない一般的なサンプルコンテンツを利用する場合における設定利用情報の概略構成を示す模式図である。図５は、コントラスト画像を示す模式図である。図６は、輝度画像を示す模式図である。図７は、第１の濃さ色相画像を示す模式図である。図８は、第２の濃さ色相画像を示す模式図である。図９は、シャープネス画像を示す模式図である。図１０は、コンテンツの一部をサンプルコンテンツとして利用する場合における出力形態情報の概略構成を示す模式図である。図１１は、コンテンツと直接関係ない一般的なサンプルコンテンツを利用する場合における出力形態情報の概略構成を示す模式図である。図１２は、コンテンツサーバ装置の概略構成を示すブロック図である。図１３は、放送局の概略構成を示すブロック図である。図１４は、表示装置の概略構成を示すブロック図である。図１５は、内蔵メモリに記憶された各情報を示す模式図である。図１６は、出力処理制御部の概略構成を示すブロック図である。
【００１１】
図１に示すように、コンテンツ出力システム１は、コンテンツ出力制御装置としての表示装置１００と、ネットワークとしてのインターネット２００と、コンテンツ配信装置としての映像音声出力機器３００と、コンテンツ配信装置としてのコンテンツサーバ装置４００と、コンテンツ配信装置としての放送局５００と、を備えている。
ここで、図１、図２、図１２、図１３、図１４において、各構成を接続する線を２種類の太さで示しているが、太い線は、映像および音声などのデータを送受信するためのデータ線を表し、細い線は、映像を表示したりや音声を出力するための制御信号などの信号を送受信するための制御線を表す。また、インターフェース処理部を、Ｉ／Ｆ処理部と称す。
【００１２】
表示装置１００は、図示しないネットワークとしてのＨＤＭＩケーブルを介して映像音声出力機器３００に、インターネット２００を介してコンテンツサーバ装置４００に、それぞれ各種情報を送受信可能に接続され、これらから送信されるコンテンツを出力させる。また、表示装置１００は、放送局５００のアンテナ５０１から出力されるネットワークとしての放送波Ｈをアンテナ１０１を介して取得して、この放送波Ｈを利用して送信されるコンテンツを出力させる。さらに、表示装置１００は、出力形態情報記憶手段としてのストレージ１８０に記憶されたコンテンツを出力させる。なお、表示装置１００の詳細については、後述する。
【００１３】
映像音声出力機器３００は、図２に示すように、入出力端子３０１と、Ｉ／Ｆ処理部３０２と、ディスクドライブ３０３と、機器制御部３０４と、を備えている。
入出力端子３０１は、図示しないＨＤＭＩケーブルが着脱可能な構成を有し、このＨＤＭＩケーブルを介して表示装置１００に接続されている。なお、表示装置１００との各種情報の送受信において、ＨＤＭＩ規格に準拠したＨＤＭＩケーブルを用いずに、ＩＥＥＥ（The Institute of Electrical and Electronics Engineers）１３９４規格によるＭＰＥＧ圧縮データを用いた映像、音声伝送方式、Ｄ映像端子（Ｄ端子とも呼ばれる）を用いたＹ（輝度信号）／Ｐｂ（青色色差信号）／Ｐｒ（赤色色差信号）のコンポーネント映像伝送方式、ＩＥＣ（International Electrotechnical Commission）６０９５８規格、ＩＥＣ６１９３７規格によるデジタルオーディオフォーマットでの光デジタル音声伝送方式などを用いてもよい。
【００１４】
ディスクドライブ３０３は、機器制御部３０４に接続されるとともに、その一部が映像音声出力機器３００の図示しないケース体の外部に露出する状態で設けられている。このディスクドライブ３０３には、出力形態情報記憶手段およびコンテンツ記録媒体としてのディスク３１０が着脱自在に装着される。このディスク３１０は、コンテンツ出力用情報３２０と、設定利用情報３３０と、出力形態情報３４０のうち、少なくともコンテンツ出力用情報３２０を適宜記憶する。そして、ディスクドライブ３０３は、機器制御部３０４の制御により、各情報３２０，３３０，３４０をディスク３１０に記憶させたり、ディスク３１０から読み出して機器制御部３０４へ出力したり、ディスク３１０から消去したりする。なお、ディスク３１０としては、ＤＶＤ（Digital Versatile Disc）やブルーレイディスク（Blu-ray Disc）などが例示できる。
【００１５】
ここで、コンテンツ出力用情報３２０は、コンテンツ３２１と、コンテンツ特定情報としての出力用識別情報３２２と、コンテンツ特定情報としてのチャプタ情報３２３とのうち、少なくともコンテンツ３２１を備えている。出力用識別情報３２２には、コンテンツ３２１の名称やジャンルが記録される。チャプタ情報３２３には、コンテンツ３２１を構成するチャプタの数、各チャプタの出力時間、コンテンツ３２１全体の出力時間のうち少なくとも１個が記録される。
また、設定利用情報３３０は、図３や図４に示すように、設定利用名称情報３３１と、設定利用ジャンル情報３３２と、機能リスト情報３３３と、推奨設定情報３３４と、装置特定情報３３５と、サンプル位置特定情報としても機能するサンプル情報３３６と、を備えている。
設定利用名称情報３３１および設定利用ジャンル情報３３２には、出力用識別情報３２２の名称およびジャンルがそれぞれ記録される。
機能リスト情報３３３には、コンテンツ３２１に対して設定が推奨される表示や音声の機能が記録されている。この機能リスト情報３３３には、各コンテンツ３２１やジャンルに対応して適宜異なる機能が記録される。
推奨設定情報３３４には、機能リスト情報３３３に記録された機能の推奨範囲が記録されている。例えば、推奨設定情報３３４の「コントラスト：Ａ２〜Ａ１１」は、コントラストの推奨設定値の範囲がＡ２〜Ａ１１であることを表している。
装置特定情報３３５には、表示装置１００の製造会社名および型式が記録されている。ここで、表示装置１００の製造会社や型式が異なる場合、設定可能な機能や機能設定調整時の基準値が異なる場合がある。このような場合にも、適切に機能を設定できるように、必要に応じて表示装置１００ごとに異なる設定利用情報３３０がディスク３１０に記憶されている。なお、図３では、Ｐ社の表示装置１００では色温度を設定できるが、Ｑ社のものでは色温度を設定できないことを表している。
サンプル情報３３６は、機能リスト情報３３３に記録された表示や音声の機能を設定する際に表示装置１００で出力され、機能設定の目安とすることができる図示しないサンプルコンテンツを特定する情報である。このサンプル情報３３６には、コンテンツ３２１の一部をサンプルコンテンツとして利用する場合、図３に示すように、コンテンツ３２１中におけるサンプルコンテンツの開始アドレスと、終了アドレスと、が記録されている。また、コンテンツ３２１と直接関係ない一般的なサンプルコンテンツ４２０（例えば、図１２参照）を利用する場合、図４に示すように、このサンプルコンテンツ４２０を特定するための情報が記録されている。
【００１６】
ここで、サンプルコンテンツ４２０は、図５に示すコントラスト画像４３０と、図６に示す輝度画像４４０と、図７および図８にそれぞれ示す第１，第２の濃さ色相画像４５０，４６０と、図９に示すシャープネス画像４７０と、それぞれ図示しない色温度画像、フィルムモード画像、音響調整音声および周波数調整音声と、から構成されている。
色温度画像およびフィルムモード画像は、色温度、フィルムモードの設定時に表示部１１１Ａ（図１４参照）で表示される画像であり、音響調整音声および周波数調整音声は、音響効果、周波数特性の設定時に音声出力部１１１Ｂ（図１４参照）から出力される音声である。
【００１７】
図５に示すように、コントラスト設定用のコントラスト画像４３０は、灰色に塗りつぶされた長方形状の背景領域４３１を有している。そして、この背景領域４３１内には、第１〜第８の比較領域４３２〜４３９が横方向に４個、縦方向に２個、並んで設けられている。第１，第２，第３，第４，第５，第６，第７，第８の比較領域４３２，４３３，４３４，４３５，４３６，４３７，４３８，４３９は、この順序で同じ割合で徐々に濃くなる薄い灰色に塗りつぶされている。また、例えば、第１，第２の比較領域４３２，４３３は、背景領域４３１よりも薄い灰色に塗りつぶされ、第３〜第８の比較領域４３４〜４３９は、背景領域４３１よりも濃い灰色に塗りつぶされている。
例えば、コンテンツ３２１がスポーツでありコントラストを上げる場合、コントラスト画像４３０の第１〜第８の比較領域４３２〜４３９を背景領域４３１に溶け込まない程度までコントラストを上げ、全ての比較領域４３２〜４３９が何とか判別できるようになるまで調整する（コントラストを上げる調整）。
また、コンテンツ３２１が映画でありコントラストを控える場合、スポーツのときよりもコントラストを下げ、全ての比較領域４３２〜４３９が容易に判別できるようになるまで調整する（コントラストをある程度下げる調整）。
【００１８】
また、図６に示すように、輝度設定用の輝度画像４４０は、黒色に塗りつぶされた長方形状の背景領域４４１を有している。そして、この背景領域４４１内には、第１〜第８の比較領域４４２〜４４９が横方向に並んで設けられている。第１，第２，第３，第４，第５，第６，第７，第８の比較領域４４２，４４３，４４４，４４５，４４６，４４７，４４８，４４９は、この順序で同じ割合で徐々に濃くなる濃い灰色に塗りつぶされている。つまり、第１〜第８の比較領域４４２〜４４９は、背景領域４４１よりも薄い色に塗りつぶされている。
例えば、コンテンツ３２１がスポーツであり輝度を上げる場合、輝度画像４４０の第１〜第８の比較領域４４２〜４４９を背景領域４４１に溶け込ませずに、全て判別できるように輝度が調整される。
また、コンテンツ３２１が映画であり輝度を控える場合、第１，第２の比較領域４４２，４４３を背景領域４４１に溶け込ませ、第３〜第８の比較領域４４４〜４４９を判別できるように輝度が調整される。
【００１９】
さらに、図７に示すように、色の濃さあるいは色相設定用の第１の濃さ色相画像４５０は、それぞれ白色、黄色、シアン色、緑色、マゼンダ色、赤色、青色に塗りつぶされ、横方向に並ぶ縦長の長方形の第１〜第７の比較領域４５１〜４５７を有している。
例えば、コンテンツ３２１が映画であり正しい色合いで見えるようにする場合、第１の濃さ色相画像４５０の赤色と青色が自然に鮮やかな色の濃さとなるように調整されるとともに、シアン色とマゼンダ色が正しい色合いになるように調整される。
【００２０】
また、図８に示すように、色の濃さあるいは色相設定用の第２の濃さ色相画像４６０は、例えば空色に塗りつぶされた背景領域４６１を有している。そして、この背景領域４６１内には、花４６２、茎４６３、および、葉４６４が表示されている。
例えば、コンテンツ３２１がスポーツの場合、花４６２と葉４６４の色が鮮やかだと感じるように色の濃さが調整される。そして、人間の記憶にある花４６２と葉４６４の色に近くなるように色合いが調整される。
【００２１】
そして、図９に示すように、シャープネス設定用のシャープネス画像４７０は、それぞれ少なくとも１本の縦線から構成され、横方向に並ぶ第１〜第７の比較領域４７１〜４７７を有している。第１，第２，第３，第４，第５，第６，第７の比較領域４７１，４７２，４７３，４７４，４７５，４７６，４７７には、この順序で徐々に細くなりかつ間隔が徐々に小さくなる状態で縦線が表示されている。
例えば、コンテンツ３２１がスポーツでありシャープネスを上げる場合、シャープネス画像４７０の第１〜第５の比較領域４７１〜４７５の線がはっきり区別して見えるように調整される。
また、コンテンツ３２１が映画でありシャープネスを控える場合、第１〜第４の比較領域４７１〜４７４の線がはっきり区別して見えるように調整される。
【００２２】
出力形態情報３４０は、表示装置１００により設定利用情報３３０に基づいて生成され、図１０や図１１に示すように、設定固有情報３４１と、設定利用名称情報３３１と、設定利用ジャンル情報３３２と、チャプタ情報３２３と、機能リスト情報３３３と、推奨設定情報３３４と、装置特定情報３３５と、サンプル情報３３６と、ユーザ設定値情報３４４と、を備えている。
ここで、図３に示すような、コンテンツ３２１の一部をサンプルコンテンツとして利用するときの設定利用情報３３０に基づいて、図１０に示すように、サンプル情報３３６にサンプルコンテンツの開始アドレス、終了ドレスが記録された出力形態情報３４０が生成される。また、図４に示すような、コンテンツ３２１と直接関係ない一般的なサンプルコンテンツ４２０を利用するときの設定利用情報３３０に基づいて、図１１に示すように、サンプル情報３３６にサンプルコンテンツ４２０の特定情報が記録された出力形態情報３４０が生成される。
設定固有情報３４１には、出力形態情報３４０固有の名称が記録されている。ユーザ設定値情報３４４には、ユーザにより設定された各機能の設定値が記録されている。例えば、ユーザ設定値情報３４４の「コントラスト：Ａ５」は、コントラストの設定値が推奨設定範囲（Ａ２〜Ａ１１）内のＡ５に設定されていることを表している。
【００２３】
ここで、ユーザ設定値情報３４４の一例について説明する。
設定利用ジャンル情報３３２にコンテンツ３２１のジャンルが映画である旨が記録されている場合、映画は、映画館という暗い場所で見ることを想定して製作されるため、映画を自宅で見るときに照明をある程度落とすことが予想される。さらに、映画は、フィルムソースであり、その画質がビデオソースと異なるため映画用の画質調整が必要となる。
このため、コントラスト、輝度、色の濃さ、シャープネスは、あまり設定を上げずに低下させる傾向がある。また、色相は、映画制作者の意図した色合いに調整される可能性がある。さらに、色温度は、低く設定され、フィルムモードは、オンに設定される。
また、設定利用ジャンル情報３３２にジャンルがスポーツである旨が記録されている場合、スポーツは、屋外の日光や屋内の照明により明るい場所で行われることが多い。また、ユニフォームのカラーなどは、色合いがはっきりしている傾向がある。さらに、試合状況がよくわかるようにはっきりとした映像で表示する必要がある。
このため、コントラストは、メリハリがつくように設定を上げる傾向にあり、輝度は、明るい状況を再現するために設定を上げる傾向にある。また、色の濃さは、色をはっきり見せるために設定を上げる傾向があり、シャープネスは上げる傾向にある。そして、色温度は、明るい環境を再現するために高く設定される。
【００２４】
機器制御部３０４は、ディスクドライブ３０３を制御して、ディスク３１０に記憶された各情報３２０，３３０，３４０を適宜取得し、Ｉ／Ｆ処理部３０２を介して表示装置１００へ出力する。また、表示装置１００から送信されるコンテンツ出力用情報３２０や出力形態情報３４０を取得して、ディスク３１０に記憶させる。
【００２５】
コンテンツサーバ装置４００は、図１２に示すように、入出力端子４０１と、Ｉ／Ｆ処理部４０２と、サーバ記憶手段４０３と、サーバ制御部４０４と、を備えている。
入出力端子４０１は、図示しないネットワーク接続ケーブルおよびインターネット２００を介して表示装置１００に接続されている。
サーバ記憶手段４０３は、コンテンツ出力用情報３２０と、図３や図４に示すような設定利用情報３３０と、サンプルコンテンツ４２０とのうち少なくともコンテンツ出力用情報３２０を適宜記憶する。
サーバ制御部４０４は、サーバ記憶手段４０３に記憶されたコンテンツ出力用情報３２０、設定利用情報３３０、サンプルコンテンツ４２０を適宜取得し、Ｉ／Ｆ処理部４０２を介して表示装置１００へ送信する。
【００２６】
放送局５００は、図１３に示すように、アンテナ５０１と、入出力端子５０２と、Ｉ／Ｆ処理部５０３と、放送局コンテンツ供給手段５０４と、ＥＰＧ（Electronic Program Guide）関連情報記憶手段５０５と、放送局制御部５０６と、を備えている。ここで、放送局５００は、従来ある放送局のみでなく、ＶＯＤのような新しいサービス形態も想定している。
放送局コンテンツ供給手段５０４は、放送局５００で放送されるコンテンツ３２１を放送局制御部５０６に供給する。
ＥＰＧ関連情報記憶手段５０５は、ＥＰＧ情報５１０と、図３や図４に示すような設定利用情報３３０と、サンプルコンテンツ４２０とのうち、少なくともＥＰＧ情報５１０を適宜読み出し可能に記憶している。
ＥＰＧ情報５１０は、各コンテンツ３２１に関する複数の配信情報５１１を有している。そして、配信情報５１１は、コンテンツ３２１が放送される放送局５００のチャンネルに関するチャンネル情報５１２と、出力用識別情報３２２と、コンテンツ３２１の放送日時に関する配信予定情報としての放送日時情報５１４と、コンテンツ３２１の内容に関する内容情報５１５と、を備えている。
放送局制御部５０６は、所定日時になったことあるいは表示装置１００からの要求を認識すると、ＥＰＧ関連情報記憶手段５０５から配信情報５１１を取得し、アンテナ５０１を介して表示装置１００へ送信する。また、コンテンツ３２１の配信日時が近づいたことを認識すると、このコンテンツ３２１を表示装置１００へ送信する。さらに、設定利用情報３３０やサンプルコンテンツ４２０を表示装置１００へ適宜送信する。
【００２７】
表示装置１００は、図１４に示すように、第１，第２，第３の入出力端子１０２，１０３，１０４と、第１，第２，第３のＩ／Ｆ処理部１０５，１０６，１０７と、チューナ部１０８と、受光部１０９と、入力切換部１１０と、出力手段１１１と、出力形態情報記憶手段としての内蔵メモリ１１２と、出力形態情報取得手段を構成する装着手段としてのストレージドライブ１１３と、コンテンツ出力制御手段としての出力切換処理部１１４と、表示装置制御部１１５と、を備えている。
第１〜第３の入出力端子１０２〜１０４は、それぞれ図示しないＨＤＭＩケーブル、ネットワーク接続ケーブル、アンテナケーブルが着脱可能な構成を有している。
第１〜第３のＩ／Ｆ処理部１０５〜１０７は、第１の入出力端子１０２を介して映像音声出力機器３００に、第２の入出力端子１０３およびインターネット２００を介してコンテンツサーバ装置４００に、ストレージドライブ１１３にそれぞれ接続されるとともに、表示装置制御部１１５に接続されている。
チューナ部１０８は、第３の入出力端子１０４を介してアンテナ１０１に接続されるとともに、表示装置制御部１１５に接続されている。このチューナ部１０８は、表示装置制御部１１５により制御され、アンテナ１０１を介して放送局５００からＥＰＧ情報５１０やコンテンツ３２１を取得する。
受光部１０９は、その一部が表示装置１００の図示しないケース体の外部に露出する状態で設けられている。この受光部１０９は、入力手段としてのリモートコントローラ（以下、リモコンと称す）１４０から赤外線Ｌを受光して、この赤外線Ｌを利用して送信された操作信号を入力切換部１１０へ送信する。
入力切換部１１０は、受光部１０９からの操作信号に基づいて、ユーザが視聴するコンテンツ３２１を出力する映像音声出力機器３００やコンテンツサーバ装置４００あるいは放送局５００の選択、さらには、機能の設定状態の変更などに関する処理信号を表示装置制御部１１５へ出力する。
出力手段１１１は、出力切換処理部１１４から出力されるコンテンツ３２１の映像などを表示する表示部１１１Ａと、出力切換処理部１１４から出力されるコンテンツ３２１の音声を出力する音声出力部１１１Ｂと、を備えている。
【００２８】
内蔵メモリ１１２は、図１５に示すように、コンテンツ出力用情報３２０と、図３や図４に示すような設定利用情報３３０と、サンプルコンテンツ４２０と、図１０や図１１に示すような出力形態情報３４０と、自装置情報１７０と、を適宜読み出し可能に記憶している。なお、図１５では、コンテンツ出力用情報３２０としてコンテンツ３２１を含む構成を例示しているが、映画などのコンテンツとして商品化されているＤＶＤを利用する場合、コンテンツ３２１は内蔵メモリ１１２には記録しないのが通常である。
自装置情報１７０には、表示装置１００の製造会社名および型式に関する情報が記録されている。
【００２９】
ストレージドライブ１１３は、図１４に示すように、第３のＩ／Ｆ処理部１０７を介して表示装置制御部１１５に接続されるとともに、その一部が表示装置１００のケース体の外部に露出する状態で設けられている。このストレージドライブ１１３には、出力形態情報記憶手段としてのストレージ１８０が着脱自在に装着される。このストレージ１８０は、コンテンツ出力用情報３２０と、図３や図４に示すような設定利用情報３３０と、サンプルコンテンツ４２０と、図１０や図１１に示すような出力形態情報３４０と、を適宜読み出し可能に記憶している。
そして、ストレージドライブ１１３は、表示装置制御部１１５の制御により、コンテンツ出力用情報３２０、サンプルコンテンツ４２０、出力形態情報３４０をストレージ１８０に記憶させたり、ストレージ１８０から読み出して表示装置制御部１１５へ出力したり、ストレージ１８０から消去したりする。
【００３０】
ここで、ディスク３１０に記憶されている設定利用情報３３０および出力形態情報３４０は、ディスク３１０に記憶されたコンテンツ３２１のみに対応する内容を有している。
また、コンテンツサーバ装置４００および放送局５００に記憶されている設定利用情報３３０は、それぞれ設定利用情報３３０を記憶する装置のコンテンツ３２１のみに対応する内容を有している。
さらに、内蔵メモリ１１２およびストレージ１８０に記憶されている設定利用情報３３０および出力形態情報３４０は、ディスク３１０、コンテンツサーバ装置４００、放送局５００、内蔵メモリ１１２、および、ストレージ１８０のいずれかに記憶されたコンテンツ３２１に対応する内容を有している。
【００３１】
出力切換処理部１１４は、表示装置制御部１１５の制御に基づいて、第１〜第３のＩ／Ｆ処理部１０５〜１０７あるいはチューナ部１０８を介して送信されるコンテンツ３２１に基づいて、所定の設定状態の画像を表示部１１１Ａで表示させたり、所定の設定状態の音声を音声出力部１１１Ｂから出力させたりする。
【００３２】
表示装置制御部１１５は、各種プログラムにより構成され、出力処理制御部１２０と、オンスクリーン処理部１５０と、を備えている。
また、出力処理制御部１２０は、図１６に示すように、演算手段としての出力形態設定装置１２１と、コンテンツ取得手段１２２と、録画制御手段１２３と、を備えている。
さらに、出力形態設定装置１２１は、コンテンツ特定情報取得手段１３１と、設定状態出力制御手段としても機能する設定調整手段１３２と、出力形態情報生成手段１３３と、出力形態情報取得手段１３４と、出力形態情報変更手段１３５と、を備えている。
【００３３】
コンテンツ特定情報取得手段１３１は、出力形態情報生成手段１３３、出力形態情報取得手段１３４、出力形態情報変更手段１３５の制御により、ディスク３１０、コンテンツサーバ装置４００、放送局５００、内蔵メモリ１１２、ストレージ１８０から出力用識別情報３２２を取得する。また、コンテンツ特定情報取得手段１３１は、出力用識別情報３２２を取得できない場合、チャプタ情報３２３の取得処理をする。
設定調整手段１３２は、出力形態情報生成手段１３３や出力形態情報変更手段１３５の制御により、設定利用情報３３０あるいは出力形態情報３４０に基づいて、コンテンツ３２１に対して設定可能な機能の設定を調整する。
出力形態情報生成手段１３３は、設定利用情報３３０に基づいて出力形態情報３４０を生成して、ディスク３１０、内蔵メモリ１１２、ストレージ１８０に記憶させる。
出力形態情報取得手段１３４は、自装置情報１７０に基づいて、所定のコンテンツ３２１の出力形態情報３４０をディスク３１０、内蔵メモリ１１２、ストレージ１８０から取得する。
出力形態情報変更手段１３５は、設定調整手段１３２における機能の設定調整に基づいて、出力形態情報３４０の内容を変更（更新）して、ディスク３１０、内蔵メモリ１１２、ストレージ１８０に記憶させる。
【００３４】
コンテンツ取得手段１２２は、ディスク３１０、コンテンツサーバ装置４００、放送局５００、内蔵メモリ１１２、ストレージ１８０からコンテンツ３２１を取得する。
録画制御手段１２３は、ディスク３１０、コンテンツサーバ装置４００、放送局５００、内蔵メモリ１１２、ストレージ１８０からコンテンツ３２１を取得して、このコンテンツ３２１に対応する出力形態情報３４０をコンテンツ３２１とともに内蔵メモリ１１２、ストレージ１８０に記憶、すなわち録画する。また、出力形態情報３４０をコンテンツ３２１とともに映像音声出力機器３００へ送信して、ディスク３１０に録画させる。
オンスクリーン処理部１５０は、後述する機能リスト画像６００（図２１，２２参照）を表示部１１１Ａで表示させる。
【００３５】
［コンテンツ出力システムの動作］
次に、コンテンツ出力システム１の動作について説明する。なお、以下の図１７〜図３２に基づく動作説明では、「サンプルコンテンツ」との表記は、コンテンツ３２１の一部であるサンプルコンテンツと、内蔵メモリ１１２などに記憶されたサンプルコンテンツ４２０とのうち少なくともいずれか一方を表すものとする。
【００３６】
〔出力形態情報の生成処理〕
まず、出力形態情報３４０の生成処理について説明する。
図１７は、出力形態情報の生成処理を示すフローチャートである。図１８は、電子番組表に基づくコンテンツの特定状態を示す模式図である。図１９は、出力形態情報の生成処理を示すフローチャートである。図２０は、設定調整処理を示すフローチャートである。図２１および図２２は、機能リスト画像を示す模式図である。図２３は、設定画像を示す模式図である。図２４は、機能リスト画像を示す模式図である。図２５は、コントラスト調整画像を示す模式図である。図２６は、フィルムモード設定画像を示す模式図である。図２７は、音響効果設定画像を示す模式図である。図２８は、設定保存確認画像を示す模式図である。図２９は、名称情報入力画像を示す模式図である。図３０は、保存場所確認画像を示す模式図である。
【００３７】
コンテンツ出力システム１の表示装置１００を構成する出力処理制御部１２０は、図１７に示すように、出力形態情報生成手段１３３にてコンテンツ特定情報取得手段１３１を制御して、出力形態情報３４０の生成対象のコンテンツ３２１を特定する（ステップＳ１）。
このステップＳ１において、コンテンツ特定情報取得手段１３１は、コンテンツ３２１がディスク３１０、コンテンツサーバ装置４００、内蔵メモリ１１２、ストレージ１８０のいずれかに記憶されている場合、リモコン１４０からの操作信号に基づき選択されたコンテンツ３２１のコンテンツ出力用情報３２０に出力用識別情報３２２が存在するか否かを判断する。そして、出力用識別情報３２２が存在する場合、この出力用識別情報３２２を取得してコンテンツ３２１の名称やジャンルを特定する。一方、出力用識別情報３２２が存在しない場合、コンテンツ３２１を特定できないと認識する。
また、コンテンツ特定情報取得手段１３１は、コンテンツ３２１が放送局５００に記憶されている場合、操作信号に基づいて放送局５００にＥＰＧ情報５１０の配信を要求して、ＥＰＧ情報５１０を取得する。そして、このＥＰＧ情報５１０に基づいて、図１８に示すような電子番組表５２０を表示部１１１Ａで表示させる。すなわち、５ｃｈ（チャンネル）の１９時〜２１時３０分までスポーツの野球中継が放送され、５ｃｈの２１時３０分から２２時まで映画の「ＲＨ」が放送され、７ｃｈの１９時〜２２時まで映画の「ＬＡＬＡＬＡＬＡ」が放送される旨の電子番組表５２０を表示させる。さらに、電子番組表５２０にカーソル５２１を表示させる。そして、操作信号に基づきカーソル５２１を移動させ、このカーソル５２１の位置を選択する操作信号を認識すると、このときカーソル５２１で囲まれているコンテンツ３２１の配信情報５１１に存在する出力用識別情報３２２を取得してコンテンツ３２１の名称やジャンルを特定する。この図１８では、ジャンルがスポーツの野球中継が出力形態情報３４０の生成対象として特定されている状態を表している。
【００３８】
そして、ステップＳ１の処理の後、出力形態情報生成手段１３３は、内蔵メモリ１１２の自装置情報１７０に基づいて表示装置１００（自装置）の製造会社名や型式を特定し（ステップＳ２）、生成対象のコンテンツ３２１がディスク３１０に記憶されたものか否かを判断する（ステップＳ３）。
このステップＳ３において、ディスク３１０に記憶されたものであると判断した場合、このコンテンツ３２１および表示装置１００に対応する設定利用情報３３０をディスク３１０から取得可能かを判断する（ステップＳ４）。具体的には、ステップＳ１でコンテンツ３２１の特定に利用した出力用識別情報３２２と内容が一致する設定利用名称情報３３１および設定利用ジャンル情報３３２を有し、かつ、ステップＳ２における自装置の特定内容が装置特定情報３３５に記録されている設定利用情報３３０を取得可能か否かを判断する。
このステップＳ４において、取得できると判断した場合、ディスク３１０から設定利用情報３３０を取得する（ステップＳ５）。
【００３９】
また、ステップＳ３において、出力形態情報生成手段１３３は、生成対象のコンテンツ３２１がディスク３１０に記憶されたものでないと判断した場合、放送局５００から送信されるものか否かを判断する（ステップＳ６）。このステップＳ６において、放送局５００から送信されるものであると判断した場合、送信されるコンテンツ３２１および表示装置１００に対応する設定利用情報３３０を放送局５００から取得可能か否かを判断する（ステップＳ７）。具体的には、ステップＳ１でコンテンツ３２１の特定に利用した出力用識別情報３２２と内容が一致する設定利用名称情報３３１および設定利用ジャンル情報３３２を有し、かつ、ステップＳ２における自装置の特定内容が装置特定情報３３５に記録されている設定利用情報３３０を取得可能か否かを判断する。
このステップＳ７において、取得できると判断した場合、放送局５００から設定利用情報３３０を取得する（ステップＳ５）。
【００４０】
また、ステップＳ６において、出力形態情報生成手段１３３は、生成対象のコンテンツ３２１が放送局５００から送信されるものでないと判断した場合、コンテンツサーバ装置４００から送信されるものか否かを判断する（ステップＳ８）。このステップＳ８において、コンテンツサーバ装置４００から送信されるものであると判断した場合、送信されるコンテンツ３２１および表示装置１００に対応する設定利用情報３３０をコンテンツサーバ装置４００から取得可能か否かを判断する（ステップＳ９）。このステップＳ９において、取得できると判断した場合、コンテンツサーバ装置４００から設定利用情報３３０を取得する（ステップＳ５）。
【００４１】
また、ステップＳ８において、出力形態情報生成手段１３３は、生成対象のコンテンツ３２１がコンテンツサーバ装置４００から送信されるものでないと判断した場合、コンテンツ３２１が内蔵メモリ１１２またはストレージ１８０に記憶されていると認識して（ステップＳ１０）、生成対象のコンテンツ３２１の名称またはジャンルを特定できたか否かを判断する（ステップＳ１１）。さらに、ステップＳ４，Ｓ７，Ｓ９において、ディスク３１０、放送局５００、コンテンツサーバ装置４００に設定利用情報３３０が記憶されていない、あるいは、ステップＳ１においてコンテンツの名称などを特定できなかったことにより、設定利用情報３３０を取得できないと判断した場合も、ステップＳ１１の処理を実施する。
そして、ステップＳ１１において、名称またはジャンルを特定できたと判断した場合、このコンテンツ３２１および表示装置１００に対応する設定利用情報３３０をストレージ１８０から取得可能か否かを判断する（ステップＳ１２）。また、ステップＳ１１において、名称またはジャンルを特定できていないと判断した場合、ユーザにジャンルを設定する旨を促して、操作信号に基づきコンテンツ３２１のジャンルを認識して（ステップＳ１３）、このジャンルおよび表示装置１００に対応する設定利用情報３３０をストレージ１８０から取得可能か否かを判断する（ステップＳ１２）。
【００４２】
このステップＳ１２において、出力形態情報生成手段１３３は、取得できると判断した場合、ストレージ１８０から設定利用情報３３０を取得する（ステップＳ５）。一方、ステップＳ１２において、取得できないと判断した場合、コンテンツ３２１および表示装置１００に対応する設定利用情報３３０を内蔵メモリ１１２から取得可能か否かを判断する（ステップＳ１４）。そして、ステップＳ１４において、取得できると判断した場合、内蔵メモリ１１２から設定利用情報３３０を取得し（ステップＳ５）、取得できないと判断した場合、コンテンツ３２１および表示装置１００に対応する設定利用情報３３０をコンテンツサーバ装置４００から取得可能か否かを判断する（ステップＳ１５）。このステップＳ１５において、取得できると判断した場合、コンテンツサーバ装置４００から設定利用情報３３０を取得し（ステップＳ５）、取得できないと判断した場合、図１９に示すように処理を終了する。
【００４３】
また、出力処理制御部１２０の設定調整手段１３２は、図１７に示すように、ステップＳ５で出力形態情報生成手段１３３により設定利用情報３３０が取得されると、この設定利用情報３３０の機能リスト情報３３３の各機能の設定調整処理を実施する（ステップＳ１６）。このステップＳ１６における設定調整処理の後、出力形態情報生成手段１３３は、図１９に示すように、操作信号に基づいて、設定調整処理の設定を保存するか否かを判断する（ステップＳ１７）。このステップＳ１７において、保存しないと判断した場合、処理を終了する。一方、ステップＳ１７において、設定を保存すると判断した場合、ステップＳ１において出力用識別情報３２２を取得できているか否かを判断する（ステップＳ１８）。このステップＳ１８において、出力用識別情報３２２を取得できていると判断した場合、コンテンツ３２１と調整設定とを連動させる（ステップＳ１９）。具体的には、出力形態情報生成手段１３３は、コンテンツ３２１に対応する設定利用情報３３０と、調整設定に関するユーザ設定値情報３４４とを連動させる。
この後、出力形態情報生成手段１３３は、出力形態情報３４０の名称の設定を認識して（ステップＳ２０）、この名称を表す設定固有情報３４１と、設定利用情報３３０と、ユーザ設定値情報３４４と、を有する出力形態情報３４０を生成する（ステップＳ２１）。このとき生成される出力形態情報３４０のチャプタ情報３２３には、情報が記録されていない。
【００４４】
一方、出力形態情報生成手段１３３は、ステップＳ１８において、出力用識別情報３２２を取得できていないと判断した場合、コンテンツ特定情報取得手段１３１を制御して、コンテンツ３２１のチャプタ情報３２３に基づいて、コンテンツ３２１のチャプタ数、各チャプタの時間、全体時間の確認処理を実施する（ステップＳ２２）。そして、チャプタ数などを確認できたかを判断して（ステップＳ２３）、確認できたと判断した場合、この確認内容に関するチャプタ情報３２３と、設定利用情報３３０と、調整設定に関するユーザ設定値情報３４４と、を連動させ（ステップＳ１９）、ステップＳ２０，Ｓ２１の処理をする。このとき生成される出力形態情報３４０の設定利用名称情報３３１および設定利用ジャンル情報３３２には、情報が記録されていない。
また、ステップＳ２３において、確認できないと判断した場合、ステップＳ２０，Ｓ２１の処理をする。このとき生成される出力形態情報３４０の設定利用名称情報３３１、設定利用ジャンル情報３３２、チャプタ情報３２３には、情報が記録されていない。
【００４５】
そして、出力形態情報生成手段１３３は、操作信号に基づいて、出力形態情報３４０をストレージ１８０に保存するか否かを判断する（ステップＳ２４）。このステップＳ２４において、保存すると判断した場合、ストレージ１８０に保存して（ステップＳ２５）、処理を終了し、保存しないと判断した場合、内蔵メモリ１１２に保存するか否かを判断する（ステップＳ２６）。そして、出力形態情報生成手段１３３は、ステップＳ２６において、保存すると判断した場合、内蔵メモリ１１２に保存して（ステップＳ２５）、処理を終了し、保存しないと判断した場合、ディスク３１０に保存するか否かを判断する（ステップＳ２７）。このステップＳ２７において、保存すると判断した場合、ディスク３１０に保存して（ステップＳ２５）、処理を終了し、保存しないと判断した場合、保存せずに処理を終了する。
なお、出力形態情報３４０を保存する際、保存対象の構成にサンプルコンテンツが保存されていないことを認識すると、サンプルコンテンツを取得可能か否かを判断し、取得可能な場合は、出力形態情報３４０とともに保存する。
以上により、出力手段１１１でコンテンツ３２１を出力させる前に、ディスク３１０、コンテンツサーバ装置４００、放送局５００、内蔵メモリ１１２、ストレージ１８０のコンテンツ３２１に対して適宜異なる機能が設定された出力形態情報３４０を、ディスク３１０、内蔵メモリ１１２、ストレージ１８０のいずれかに保存することができる。
【００４６】
また、ステップＳ１６における設定調整処理では、設定調整手段１３２は、図２０に示すように、オンスクリーン処理部１５０を制御して、設定利用情報３３０の機能リスト情報３３３に基づいて、コンテンツ３２１に対して設定可能な機能に関する機能リスト画像６００を表示部１１１Ａで表示させる（ステップＳ３１）。具体的には、図２１および図２２に示すように、所定のコンテンツ３２１に対応する機能リスト画像６００を表示させる。この機能リスト画像６００は、機能を表す機能名情報６０１と、設定可能範囲画像６０２と、推奨状態範囲画像６０３と、調整軸６０４と、調整バー６０５と、を備えている。図２１は、画像のコントラスト、明るさ、および、色の濃さと、音声の周波数特性（イコライザ）および音響効果と、がコンテンツ３２１に対して設定可能な機能として設定されていることを表している。また、図２２は、画像のコントラスト、明るさ、および、シャープネスと、音声の音響効果と、がコンテンツ３２１に対して設定可能な機能として設定されていることを表している。つまり、コンテンツ３２１ごとに異なる機能を設定できることを表している。
【００４７】
この後、設定調整手段１３２は、図２０に示すように、操作信号に基づいて所定の機能が選択されたことを認識すると（ステップＳ３２）、この選択された機能のサンプルコンテンツがあるか否かを判断する（ステップＳ３３）。ここで、機能設定対象のコンテンツ３２１がディスク３１０に記録されている場合、設定利用情報３３０のサンプル情報３３６における開始アドレスおよび終了アドレスに基づいて、コンテンツ３２１の一部をサンプルコンテンツとして取得する。また、機能設定対象のコンテンツ３２１がディスク３１０以外に記録されている場合、設定利用情報３３０のサンプル情報３３６に基づき特定されるサンプルコンテンツを取得する。
そして、ステップＳ３３において、サンプルコンテンツがあると判断した場合、このサンプルコンテンツを出力手段１１１で出力させる（ステップＳ３４）。このステップＳ３４において、画像に関するサンプルコンテンツである各画像４３０，４４０，４５０，４６０，４７０を表示部１１１Ａで表示させる場合、または、コンテンツ３２１の一部をサンプルコンテンツとして表示させる場合、機能リスト画像６００をあわせて表示させる。
この後、設定調整手段１３２は、操作信号に基づく調整バー６０５の移動後の位置に基づいて設定値を認識して（ステップＳ３５）、この設定値の状態でサンプルコンテンツを表示あるいは音声で出力させ、他の機能が選択されたか否かを判断する（ステップＳ３６）。そして、ステップＳ３６において、選択されたと判断した場合、ステップＳ３３の処理をして、選択されずに設定を終了する旨を認識すると、処理を終了する。
また、設定調整手段１３２は、ステップＳ３３において、サンプルコンテンツがないと判断した場合、サンプルコンテンツを出力させずに、ステップＳ３５の処理をする。
【００４８】
ここで、上述の出力形態情報３４０の生成処理について、より具体的な例示を挙げて説明する。なお、コンテンツ３２１の名称は「ＴＴＴＴ」、表示装置１００の製造会社は「Ｐ社」、型式は「ＡＢＣ−１２３」とする。
まず、図１７に示すステップＳ１において、ディスク（ＤＶＤ）３１０の再生が選択されると、そのディスク３１０のどのファイルを再生するかを確認するメニュー画面を表示させる。ここで、「最初から再生」のメニューが選択された場合、全てのファイルを再生すると認識する。また、「画質、音質を設定」というメニューが選択された場合、出力形態設定装置１２１は、コンテンツ特定情報であるディスク３１０の名称、ディスク３１０を特定する番号、コンテンツ３２１のチャプタ番号などを取得して、コンテンツ３２１を特定する。なお、ディスク３１０の名称および特定する番号のみでも構わない。ここでは、図２３に示す設定画像７００が表示され、画質音質設定メニュー７０１が選択されると、コンテンツ特定情報に基づきコンテンツ３２１を特定する。
なお、ＤＶＤ３１０が挿入された時点、あるいは、コンテンツ３２１が自動再生された時点で、自動的にＤＶＤ３１０をスキャンして、コンテンツ特定情報を取得する構成としてもよい。
そして、ステップＳ２で、内蔵メモリ１１２の自装置情報１７０に基づいて表示装置１００の製造会社、型式を特定し、ステップＳ３で、コンテンツ３２１がディスク３１０にあることを確認する。
この後、出力形態設定装置１２１は、ステップＳ４でディスク３１０に設定利用情報３３０が記憶されているかを確認する。ここでは、ディスク３１０に設定利用情報３３０が記憶されているとする。なお、ディスク３１０に設定利用情報３３０の代わりに、インターネット２００を介して設定利用情報３３０を入手するためのアドレス情報が記憶されていても構わない。そして、ステップＳ５で、ディスク３１０から設定利用情報３３０を取得して、ステップＳ１６の処理、すなわち図２０に示す設定調整処理を実施する。ここでは、表示装置１００の製造会社、型式、コンテンツ３２１の名称に基づいて、図３に示された上側の設定利用情報３３０を取得する。
【００４９】
そして、出力形態設定装置１２１は、ステップＳ３１で設定利用情報３３０に基づいて、図２４に示すような機能リスト画像６１０を表示させる。この機能リスト画像６１０では、現在設定されている画質や音質の項目情報６１６の上に、調整マーク６１５を表示させている。この後、ステップＳ３２で、例えば図示しないカーソルにより「コントラスト」が選択されたことを認識すると、ステップＳ３４で、この選択された機能「コントラスト」のサンプルコンテンツがディスク３１０に記録されているか、または、サンプルコンテンツが記録されているインターネットアドレスがディスク３１０に記録されているかを判断する。そして、出力形態設定装置１２１は、サンプルコンテンツがディスク３１０またはインターネット２００にあると判断した場合、ステップＳ３４の処理をして、ないと判断した場合、ステップＳ３５の処理をする。
【００５０】
ステップＳ３４では、出力形態設定装置１２１は、サンプルコンテンツとして図５に示すコントラスト画像４３０を取得して、図２５に示すコントラスト調整画像６２０を表示させる。このコントラスト調整画像６２０では、コントラスト画像４３０の下に、例えば「第１の比較領域は背景領域に溶け込ませ、第２〜第８の比較領域を背景領域に溶け込ませずに判別できるようにコントラストを調整して下さい。」という内容の画質調整ポイント情報６２９を表示させる。この画質調整ポイント情報６２９に基づきユーザが調整マーク６１５の位置を調整することにより、コントラスト画像４３０のコントラストを適切に調整することができる。この調整により、調整マーク６１５は、通常は推奨状態範囲画像６０３の中央近傍に位置することになる。ただし、装置ばらつきや経時変化により、調整マーク６１５が推奨状態範囲画像６０３の中央からずれることもある。また、ユーザによっては、画質調整ポイント情報６２９の指定よりも、自分の好みや部屋の明るさの条件などにより調整をずらすことも考えられる。コントラストの調整が完了すると、ユーザにより「戻る」ボタンが選択される。
【００５１】
そして、出力形態設定装置１２１は、「戻る」ボタンが選択されると、ステップＳ３５により、そのときの「コントラスト」の設定値を認識する。
なお、サンプルコンテンツであるコントラスト画像４３０がない場合は、出力形態設定装置１２１は、コントラスト画像４３０なしで図２５のコントラスト調整画像６２０を表示させる。ユーザは、推奨状態範囲画像６０３や推奨値を参考にして、コントラストを調整する。この際、画質調整ポイント情報６２９が表示されることが望ましい。そして、コントラストの調整が完了してユーザにより「戻る」ボタンが選択されると、そのときの「コントラスト」の設定値を認識する。
【００５２】
さらに、ステップＳ３６で他の機能が選択されたか否かを判断する。具体的には、図２４の機能リスト画像６１０で「戻る」ボタンが選択された場合、調整を終了すると判断して、例えば図２３の設定画像７００に、その調整結果を調整マーク６１５などを利用して表示させる。
一方、Ｓ３６で他の機能が選択されると、以下のように「コントラスト」と同様に調整を実施する。すなわち機能リスト画像６１０で「輝度」が選択されると、図６に示すような輝度画像４４０と、画質調整ポイント情報６２９と、輝度の現在の設定値を表す調整マーク６１５と、推奨設定範囲を示す推奨状態範囲画像６０３などから構成される輝度調整画像が表示される。このようにして機能リスト情報３３３に記録されたコントラスト、輝度、色の濃さ、色相、シャープネス、色温度を設定する。
なお、各機能の設定を選択したときに、コンテンツ３２１中から取得したサンプルコンテンツを表示させる場合、このサンプルコンテンツ開始アドレスと終了アドレスは、図３に示すサンプル情報３３６に記録されているものを利用する。また、終了アドレスは必ずしも記録されていないくても構わない。
【００５３】
また、出力形態設定装置１２１は、フィルムモードの設定が選択されると、図２６に示すように、フィルムモードを「オン」としたときのオンサンプル画像６３１と、「オフ」したときのオフサンプル画像６３２とを２画面表示させたフィルムモード設定画像６３０を表示させる。各サンプル画像６３１，６３２は、フィルムモードの効果が大きいコンテンツ３２１中の画像を使用してもいいし、当該コンテンツ３２１とは関係のない一般的な画像を使用してもいい。フィルムモードの「オン」と「オフ」の相違がユーザに分かりやすい画像であれば構わない。
また、出力形態設定装置１２１は、音響効果の設定が選択されると、図２７に示すように、当該コンテンツ３２１の中で音響効果の設定に適した部分のサンプル映像６４１を含む音響効果設定画像６４０を表示させるとともに、サンプル映像６４１の音を出力させる。例えば１分間、その部分を繰り返し表示したり出力したりする。音響効果の設定を変えて再スタートボタン６４２が選択されると、サンプル映像６４１を最初から再生する。同様に周波数特性の設定が選択されると、当該コンテンツ３２１の中で周波数特性の設定に適した部分のサンプル映像と音とが出力され、音響効果と同様に調整を行うことができる。
【００５４】
そして、各機能の設定が完了して「戻る」ボタンが選択されると、図２３の設定画像７００を表示させる。この設定画像７００には、ここでは図示しないが、そのときの各機能の設定状態と推奨設定範囲が表示される。ユーザは、全項目の設定が完了すると設定画像７００を表示させ、各機能の設定状態と推奨設定範囲を確認し、コンテンツ３２１のチャプタを示すＣａｐ．１〜Ｃａｐ．５のいずれかのボタンを選択することで、コンテンツ３２１の再生を開始させる。なお、チャプタを選択する替わりに、「コンテンツ開始」ボタンを選択する構成でも構わない。
出力形態設定装置１２１は、Ｃａｐ．１〜Ｃａｐ．５のいずれかのボタン、あるいは、「コンテンツ開始」ボタンが選択されると、ステップＳ１７の処理として、図２８に示すような設定保存確認画像６５０を表示させる。そして、ユーザにより「設定調整処理の設定を保存しますか」の問いかけに対して、「Ｎｏ」ボタンが選択された場合、出力形態情報３４０の生成処理を終了して、ディスク３１０のコンテンツ３２１を、つまり本編を直前に確認した設定画像７００の現在の設定条件にて再生する。一方、出力形態設定装置１２１は、「Ｙｅｓ」ボタンが選択された場合、ステップＳ１８で、Ｓ１においてコンテンツ特定情報である出力用識別情報３２２を取得できているかを判断する。そして、取得できている場合にステップＳ１９の処理し、取得できていない場合にステップＳ２２の処理をする。
【００５５】
ステップＳ１９の後のステップＳ２０では、出力形態設定装置１２１は、図２９に示すような名称情報入力画像６６０を表示させ、ユーザに出力形態情報３４０の名称の入力を要求する。入力方法として、数字のみを使用する方法、アルファベットと数字を用いる方法など、既存の方法を用いて、ユーザは、出力形態情報３４０の名称を入力する。また、ユーザは、出力形態情報３４０の名称の入力を省くこともできる。しかし、同じディスク３１０の同じコンテンツ３２１でも、自分の視聴する条件や気分により設定調整処理の設定を変えたい場合は、その設定毎に出力形態情報３４０の名称（設定固有情報３４１）を入力することにより、各設定を区別することができ、後日登録した設定調整処理の設定を利用するときに便利である。
そして、出力形態設定装置１２１は、ステップＳ２１で、設定固有情報３４１と、設定利用情報３３０と、ユーザ設定値情報３４４と、を有する出力形態情報３４０を生成する。このとき生成される出力形態情報３４０のチャプタ情報３２３には、情報が記録されていない。
この後、出力形態設定装置１２１は、図３０に示すような保存場所確認画像６７０を表示させる。すなわち、出力形態情報３４０をディスク３１０、コンテンツサーバ装置４００、放送局５００、内蔵メモリ１１２、ストレージ１８０のうちのどれに保存するかを、ユーザに選択させる。そして、ステップＳ２４，Ｓ２６，Ｓ２７の処理をして、ユーザにより選択された保存場所を認識して、ステップＳ２５の処理をする。
【００５６】
ステップＳ２５では、出力形態設定装置１２１は、Ｓ１９においてユーザにより選択されたディスク３１０、コンテンツサーバ装置４００、放送局５００、内蔵メモリ１１２、ストレージ１８０のいずれかに出力形態情報３４０を保存する。
設定調整処理の設定をディスク３１０に保存する場合、コンテンツ出力用情報３２０が記録されたディスク３１０の出力形態情報３４０のユーザ設定値情報３４４に、ユーザの設定した設定値が保存される。なお、図２では、ディスク３１０に設定利用情報３３０と出力形態情報３４０の記憶領域があるように記載しているが、出力形態情報３４０のユーザ設定値情報３４４のみを登録しても構わない。同じディスク３１０の同じコンテンツ３２１でも自分の視聴する条件や気分により設定調整処理の設定を変えたい場合は、その設定毎に設定固有情報３４１をディスク３１０に記憶させ、この設定固有情報３４１と関連付けてユーザ設定値情報３４４をディスク３１０に記憶させる。
また、設定調整処理の設定をコンテンツサーバ装置４００に保存すると認識して、インターネット２００経由でコンテンツサーバ装置４００に出力形態情報３４０を登録することができる。この場合は、通常は当該コンテンツサーバ装置４００には、設定利用情報３３０が記録されていないので、図１０に示す出力形態情報３４０の全項目を設定する方が望ましいが、ユーザ設定値情報３４４以外の一部の情報が欠けても構わない。このことは、後述する設定調整処理の設定を放送局５００、内蔵メモリ１１２、ストレージ１８０に保存する場合も同様である。外部のコンテンツサーバ装置４００に出力形態情報３４０を登録することにより、他のユーザがこれを参考にすることができる。勿論、登録したユーザ自身も次回視聴するときにその情報を利用することができる。
【００５７】
さらに、設定調整処理の設定を放送局５００に保存すると認識して、出力形態情報３４０を放送局に登録することができる。ここで、放送局５００とは、例えばユーザが会員登録しているＶＯＤサービスの放送局である。ユーザは、自分の視聴履歴と、その視聴時の出力形態情報３４０を放送局に登録することにより、次回視聴するときにその情報を利用することができる。
また、設定調整処理の設定を内蔵メモリ１１２やストレージ１８０に保存すると認識して、出力形態情報３４０を内蔵メモリ１１２やストレージ１８０に登録することができる。ユーザは、自分の視聴履歴と、その視聴時の出力形態情報３４０を内蔵メモリ１１２やストレージ１８０に登録することにより、次回視聴するときにその情報を利用することができる。
【００５８】
一方、ステップＳ２２では、出力形態設定装置１２１は、コンテンツ３２１のチャプタ情報３２３に基づいて、コンテンツ３２１のチャプタ数、各チャプタの時間、全体時間の確認処理を実施する。
また、ステップＳ２３では、コンテンツ３２１のチャプタ数、各チャプタの時間、全体時間の確認処理ができたかを判断し、確認できたと判断した場合、この確認内容からコンテンツ３２１を特定する。例えばインターネット２００の特定サイトにより、この確認内容からコンテンツ３２１を識別する。また、内蔵メモリ１１２やストレージ１８０に予め記憶されているコンテンツ３２１のチャプタ数、各チャプタの時間、全体時間と一致するものをチェックし、一致するコンテンツ３２１があれば、そのコンテンツ３２１と認識する。また、これらの処理によりコンテンツ３２１を特定することができなくても、その後のステップＳ２０において、ユーザは、設定固有情報３４１を入力するので、この設定固有情報３４１によりコンテンツ３２１を識別することは可能である。従って、この場合、ステップＳ２０において、設定固有情報３４１の入力を省くことはできない。
【００５９】
〔コンテンツの出力処理〕
次に、コンテンツ３２１の出力処理について説明する。
図３１および図３２は、コンテンツの出力処理を示すフローチャートである。
【００６０】
コンテンツ出力システム１の表示装置１００を構成する出力処理制御部１２０は、図３１に示すように、コンテンツ取得手段１２２にて、操作信号に基づく出力対象のコンテンツ３２１を取得する（ステップＳ４１）。また、出力形態情報取得手段１３４は、自装置情報１７０に基づき自装置を特定する（ステップＳ４２）。この後、出力形態情報取得手段１３４は、コンテンツ特定情報取得手段１３１でコンテンツ３２１の出力用識別情報３２２を取得可能か否かを判断する（ステップＳ４３）。
このステップＳ４３において、出力形態情報取得手段１３４は、出力用識別情報３２２を取得可能であると判断した場合、この出力用識別情報３２２を取得させるとともに、コンテンツ３２１がディスク３１０に記憶されたものか否かを判断する（ステップＳ４４）。一方、ステップＳ４３において、出力用識別情報３２２を取得不可能であると判断した場合、コンテンツ特定情報取得手段１３１でチャプタ情報３２３を取得させて、このチャプタ情報３２３に基づくコンテンツ３２１のチャプタ数、各チャプタの時間、全体時間の確認処理を実施させて（ステップＳ４５）、チャプタ数などを確認できたかを判断する（ステップＳ４６）。そして、ステップＳ４６において、確認できたと判断した場合、ステップＳ４４の処理をして、確認できないと判断した場合、出力切換処理部１１４により現状の機能の設定を維持したままコンテンツ３２１を出力させる（ステップＳ４７）。
【００６１】
また、ステップＳ４４において、出力形態情報取得手段１３４は、コンテンツ３２１がディスク３１０に記憶されたものであると判断した場合、このコンテンツ３２１の出力用識別情報３２２やチャプタ情報３２３と内容が一致する設定利用名称情報３３１および設定利用ジャンル情報３３２あるいはチャプタ情報３２３を有し、かつ、自装置の特定内容が装置特定情報３３５に記録されている出力形態情報３４０がディスク３１０に記録されているか否かを判断する（ステップＳ４８）。そして、ステップＳ４８において、出力形態情報取得手段１３４は、記憶されていると判断した場合、この出力形態情報３４０を取得する（ステップＳ４９）。そして、出力切換処理部１１４は、コンテンツ３２１の機能設定を出力形態情報３４０のユーザ設定値情報３４４の内容に調整して（ステップＳ５０）、コンテンツ３２１を出力させる（ステップＳ４７）。
【００６２】
一方、ステップＳ４４において、コンテンツ３２１がディスク３１０に記憶されたものでなく、コンテンツサーバ装置４００、放送局５００、内蔵メモリ１１２、ストレージ１８０に記憶されたものであると判断した場合、このコンテンツ３２１および自装置に対応する出力形態情報３４０がストレージ１８０に記憶されているか否かを判断する（ステップＳ５１）。また、出力形態情報取得手段１３４は、ステップＳ４８において、ディスク３１０のコンテンツ３２１に対応する出力形態情報３４０がディスク３１０に記憶されていないと判断した場合も、ステップＳ５１の処理をする。このステップＳ５１の処理では、出力用識別情報３２２の名称、ジャンルが記録された各情報３３１，３３２と、自装置情報１７０の内容が記録された装置特定情報３３５とを有する出力形態情報３４０が記憶されているか否かを判断する。
そして、ステップＳ５１において、ストレージ１８０に記憶されていると判断した場合、出力形態情報３４０を取得し（ステップＳ４９）、ステップＳ５０，Ｓ４７の処理をすることで、設定機能が出力形態情報３４０のユーザ設定値情報３４４の内容に調整されたコンテンツ３２１を出力させる。
また、ステップＳ５１において、出力形態情報取得手段１３４は、ストレージ１８０に記憶されていないと判断した場合、内蔵メモリ１１２に記憶されているか否かを判断し（ステップＳ５２）、記憶されていると判断した場合、ステップＳ４９の処理をし、記憶されていないと判断した場合、ステップＳ４７の処理をする。
【００６３】
そして、ステップＳ４７の処理の後、出力形態情報変更手段１３５は、操作信号に基づき機能の設定を変更するか否かを判断する（ステップＳ５３）。このステップＳ５３において、変更しないと判断した場合、コンテンツ３２１の出力を終了させるか否かを判断し（ステップＳ５４）、終了させると判断した場合、出力を終了させ、終了させないと判断した場合、ステップＳ５３の処理をする。また、ステップＳ５３において、出力形態情報変更手段１３５は、設定変更すると判断した場合、設定調整手段１３２に図２０に示す設定調整処理を実施させる（ステップＳ１６）。
この後、出力切換処理部１１４は、設定調整処理で設定された内容に基づく状態でコンテンツ３２１の出力を更新する（ステップＳ５５）。そして、出力形態情報変更手段１３５は、この設定を保存するか否かを判断し（ステップＳ５６）、保存しないと判断した場合、ステップＳ５４の処理をする。また、ステップＳ５６において、出力形態情報変更手段１３５は、保存すると判断した場合、ステップＳ４９で取得した出力形態情報３４０のユーザ設定値情報３４４を設定調整処理で設定された内容に更新して（ステップＳ５７）、ステップＳ５４の処理をする。
【００６４】
［コンテンツ出力システムの作用効果〕
上述したように、コンテンツ出力システム１では、以下のような作用効果を奏することができる。
【００６５】
（１）表示装置１００の出力形態設定装置１２１は、出力手段１１１で出力させるコンテンツ３２１の出力用識別情報３２２に基づいて、コンテンツ３２１に対応する出力形態情報３４０を取得する。この後、出力形態設定装置１２１は、出力形態情報３４０に基づいて、出力切換処理部１１４で設定可能な機能のうち、コンテンツ３２１に対して設定されている少なくとも１個の機能を表す機能リスト画像６００を表示させる。そして、出力形態設定装置１２１は、操作信号に基づいて、機能リスト画像６００で表示された機能の設定を変更する。
このため、コンテンツ３２１の内容やユーザの好みに応じて、各コンテンツ３２１に対して異なる機能を設定することができ、各コンテンツ３２１に対して全ての出力形態を設定する必要がある従来の構成と比べて、各コンテンツ３２１に対して適切に機能を設定できる。
【００６６】
（２）出力形態設定装置１２１は、機能リスト画像６００で各機能の推奨状態を表示させる。
このため、ユーザによるコンテンツ３２１の機能設定操作を補助でき、表示装置１００の利便性を向上できる。
【００６７】
（３）出力形態設定装置１２１は、機能設定を変更する旨を認識すると、コンテンツ３２１の一部をサンプルコンテンツとして取得して、このサンプルコンテンツを操作信号に基づく調整状態で表示させる。
このため、ユーザが視聴するコンテンツ３２１自体の画像や音声を用いて機能設定を調整させることができ、より適切にコンテンツ３２１の機能を設定させることができる。
【００６８】
（４）出力形態設定装置１２１は、サンプル情報３３６のアドレスに基づいて、コンテンツ３２１からサンプルコンテンツを取得する。
このため、コンテンツ３２１ごとに機能調整に適切なサンプルコンテンツを設定することができ、適切に機能設定を補助できる。
【００６９】
（５）出力形態情報３４０に、設定利用名称情報３３１および設定利用ジャンル情報３３２を設けている。そして、出力形態設定装置１２１は、出力用識別情報３２２と同じ内容が記録された設定利用名称情報３３１および設定利用ジャンル情報３３２を有する出力形態情報３４０を取得する。
このため、出力形態情報３４０とコンテンツ３２１とが異なる装置や記憶手段に記憶されている場合であっても、コンテンツ３２１に対応する出力形態情報３４０を確実に取得できる。
【００７０】
（６）コンテンツ出力用情報３２０および出力形態情報３４０に、チャプタ情報３２３を設けている。そして、出力形態設定装置１２１は、コンテンツ特定情報取得手段１３１で取得したチャプタ情報３２３と内容が一致する出力形態情報３４０を取得する。
このため、コンテンツ出力用情報３２０に出力用識別情報３２２が設けられておらず、コンテンツ３２１に名称やジャンルが関連付けられていない場合でも、コンテンツ３２１ごとに異なる可能性が高いチャプタ数、各チャプタの出力時間、コンテンツ３２１全体の出力時間に基づいて、コンテンツ３２１に対応する出力形態情報３４０を確実に取得できる。
【００７１】
（７）表示装置１００にストレージ１８０を着脱可能なストレージドライブ１１３を設け、ストレージ１８０に出力形態情報３４０を記憶させている。
このため、ユーザが異なる場所に設置された表示装置１００を利用する場合でも、ストレージ１８０の携行によりユーザの好みに応じた機能の設定状態でコンテンツ３２１を視聴させることができる。
【００７２】
（８）コンテンツ出力システム１を、表示装置１００と、映像音声出力機器３００と、コンテンツサーバ装置４００と、放送局５００と、で構成している。そして、表示装置１００は、映像音声出力機器３００に装着されたディスク３１０、コンテンツサーバ装置４００、放送局５００のいずれかから送信されるコンテンツ３２１を出力形態情報３４０に基づく機能設定で出力させる。
このため、ユーザに多くの種類のコンテンツ３２１を所望の機能設定状態で視聴させることができる。
【００７３】
（９）ディスク３１０に、コンテンツ３２１と、このコンテンツ３２１に対応する出力形態情報３４０と、を記憶させている。
このため、ユーザが異なる場所に設置された映像音声出力機器３００を利用する場合でも、ディスク３１０の携行によりユーザの好みに応じた機能の設定状態でコンテンツ３２１を視聴させることができる。特に、出力形態情報３４０をコンテンツ３２１とともに１枚のディスク３１０に記憶させているので、コンテンツ３２１を所望の出力形態で確実に視聴させることができる。
【００７４】
（１０）出力形態設定装置１２１は、映像音声出力機器３００に装着されたディスク３１０、コンテンツサーバ装置４００、放送局５００のいずれかからコンテンツ３２１とともに送信され、このコンテンツ３２１のみに対応する機能が設定されている設定利用情報３３０を取得する。そして、この設定利用情報３３０に基づいて、出力形態情報３４０を生成する。
ここで、コンテンツ３２１とともに取得する設定利用情報３３０は、例えばコンテンツ３２１の制作者などにより機能設定が適切に、あるいは、制作者が意図するように行われている可能性が高い。このため、ユーザは、この設定利用情報３３０に基づき生成された出力形態情報３４０に基づいて、機能がコンテンツ３２１に対して適切に、あるいは、制作者の意図にあうように設定されたコンテンツ３２１を視聴できる。
【００７５】
（１１）出力形態設定装置１２１は、放送局５００からのＥＰＧ情報５１０に基づく電子番組表５２０を表示させ、カーソル５２１により選択されたコンテンツ３２１の出力形態情報３４０を生成する。
このため、コンテンツ３２１の出力前にユーザの好みに対応する出力形態情報３４０を生成でき、ユーザの好みに応じた機能の設定状態でコンテンツ３２１を最初から視聴させることができる。
【００７６】
（１２）設定利用情報３３０に、装置特定情報３３５を設けている。そして、出力形態設定装置１２１は、表示装置１００の特定内容が記録されている装置特定情報３３５を有する設定利用情報３３０に基づいて、出力形態情報３４０を生成する。
このため、表示装置１００の製造会社や型式が異なるために設定可能な機能や機能設定調整時の基準値が異なる場合でも、適切に機能が設定されたコンテンツ３２１を視聴させることができる。
【００７７】
［実施形態の変形］
なお、本発明は、上述した一実施形態に限定されるものではなく、本発明の目的を達成できる範囲で以下に示される変形をも含むものである。
【００７８】
すなわち、出力形態情報３４０に、推奨設定情報３３４、装置特定情報３３５のうち少なくとも一方を設けなくてもよい。また、出力形態情報３４０にサンプル情報３３６を設けなくてもよい。
また、コンテンツ３２１からサンプルコンテンツを取得する方法としては、コンテンツ３２１中の予め設定された位置のコンテンツ３２１を取得する方法、ユーザの設定入力に基づく位置のコンテンツ３２１を取得する方法を適用してもよい。
【００７９】
そして、本発明の出力形態設定装置をいわゆるビデオオンデマンドに適用してもよい。具体的には、ビデオオンデマンドのサーバ装置に、予めユーザの表示装置１００を登録しておき、ユーザにより視聴したいコンテンツ３２１が選択された際に、ユーザの表示装置１００およびコンテンツ３２１に対応する出力形態情報３４０をコンテンツ３２１とともにユーザに送信して視聴させてもよい。また、ユーザによりコンテンツ３２１が選択された際に、複数の表示装置１００およびコンテンツ３２１に対応する出力形態情報３４０をコンテンツ３２１とともにユーザに送信して、ユーザに表示装置１００に対応する出力形態情報３４０を選択させてもよい。さらに、ユーザにより出力形態情報３４０が更新されたら、その設定値をサーバ装置で保存してもよい。そして、複数のユーザから収集したコンテンツ３２１および表示装置１００に対応する各機能の設定値のデータベースを作成して、各機能のユーザ推奨設定値を設定してもよい。
【００８０】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００８１】
その他、本発明の実施の際の具体的な構造および手順は、本発明の目的を達成できる範囲で他の構造などに適宜変更できる。
【００８２】
［実施形態の効果］
上述したように、上記実施形態では、表示装置１００の出力形態設定装置１２１は、出力手段１１１で出力させるコンテンツ３２１の出力形態情報３４０に基づいて、出力切換処理部１１４で設定可能な機能のうち、コンテンツ３２１に対して設定されている少なくとも１個の機能を表す機能リスト画像６００を表示させる。そして、出力形態設定装置１２１は、操作信号に基づいて、機能リスト画像６００で表示された機能の設定を変更する。
このため、コンテンツ３２１の内容やユーザの好みに応じて、各コンテンツ３２１に対して異なる機能を設定することができ、各コンテンツ３２１に対して全ての出力形態を設定する必要がある従来の構成と比べて、各コンテンツ３２１に対して適切に機能を設定できる。
【産業上の利用可能性】
【００８３】
本発明は、コンテンツに対する出力形態の設定状態に関する処理をする出力形態設定装置およびコンテンツ出力システムとして利用できる。
【符号の説明】
【００８４】
１…コンテンツ出力システム
１００…コンテンツ出力制御装置としての表示装置
１１１…出力手段
１１２…出力形態情報記憶手段としての内蔵メモリ
１１３…出力形態情報取得手段を構成する装着手段としてのストレージドライブ
１１４…コンテンツ出力制御手段としての出力切換処理部
１２１…演算手段としての出力形態設定装置
１２２…コンテンツ取得手段
１３１…コンテンツ特定情報取得手段
１３２…設定状態出力制御手段としても機能する設定調整手段
１３３…出力形態情報生成手段
１３４…出力形態情報取得手段
１３５…出力形態情報変更手段
１４０…入力手段としてのリモートコントローラ
１８０…出力形態情報記憶手段としてのストレージ
２００…ネットワークとしてのインターネット
３００…コンテンツ配信装置としての映像音声出力機器
３１０…出力形態情報記憶手段およびコンテンツ記録媒体としてのディスク
３２１…コンテンツ
３２２…コンテンツ特定情報としての出力用識別情報
３２３…コンテンツ特定情報としてのチャプタ情報
３３６…サンプル位置特定情報としても機能するサンプル情報
３４０…出力形態情報
４００…コンテンツ配信装置としてのコンテンツサーバ装置
４２０…サンプルコンテンツ
５００…コンテンツ配信装置としての放送局
５１１…配信情報
５１４…配信予定情報としての放送日時情報
Ｈ…ネットワークとしての放送波
【手続補正２】
【補正対象書類名】特許請求の範囲
【補正対象項目名】全文
【補正方法】変更
【補正の内容】
【特許請求の範囲】
【請求項１】
コンテンツを取得するコンテンツ取得手段と、この取得したコンテンツを互いに異なる複数の出力形態を設定した状態で出力手段により出力可能なコンテンツ出力制御手段と、を備えたコンテンツ出力制御装置に設けられ、前記コンテンツに対する出力形態の設定状態に関する処理をする出力形態設定装置であって、
前記出力手段で出力させるコンテンツを特定するコンテンツ特定情報を取得するコンテンツ特定情報取得手段と、
前記複数の出力形態のうち少なくとも１個の出力形態の設定状態が記録されるとともに前記取得したコンテンツ特定情報で特定されるコンテンツに関連付けられた出力形態情報を取得する出力形態情報取得手段と、
この取得した出力形態情報に基づく前記設定状態を前記出力手段で出力させる設定状態出力制御手段と、
入力操作に応じた操作信号を出力する入力手段からの前記操作信号に基づいて、前記取得した出力形態情報の前記設定状態を変更する出力形態情報変更手段と、
コンテンツを特定する情報が記録された前記出力形態情報を記憶する出力形態情報記憶手段と、を具備し、
前記出力形態情報取得手段は、前記コンテンツ特定情報と同一の内容が記録された前記出力形態情報を前記出力形態情報記憶手段から取得する
ことを特徴とする出力形態設定装置。
【請求項２】
請求項１に記載の出力形態設定装置において、
前記コンテンツ特定情報および前記出力形態情報における前記コンテンツを特定するための情報は、前記コンテンツ全体の出力時間、前記コンテンツを構成するチャプタの数、および、前記チャプタの出力時間のうち少なくとも１個に関する内容を有している
ことを特徴とする出力形態設定装置。
【請求項３】
請求項１または請求項２に記載の出力形態設定装置において、
前記出力形態情報取得手段は、前記出力形態情報記憶手段が着脱自在に装着される装着手段を備え、この装着手段に装着された前記出力形態情報記憶手段から前記出力形態情報を取得する
ことを特徴とする出力形態設定装置。
【請求項４】
コンテンツを取得するコンテンツ取得手段と、
この取得したコンテンツを互いに異なる複数の出力形態を設定した状態で出力手段により出力可能なコンテンツ出力制御手段と、
前記コンテンツに対する出力形態の設定状態に関する処理をする請求項１ないし請求項３のいずれかに記載の出力形態設定装置と、を具備したコンテンツ出力制御装置と、
このコンテンツ出力制御装置にネットワークを介して接続されたサーバ装置と、を具備し、
前記サーバ装置は、前記コンテンツと、複数のコンテンツの配信予定に関する配信予定情報および前記配信予定のコンテンツに関する前記コンテンツ特定情報を有する配信情報と、を前記コンテンツ出力制御装置へ送信し、
前記コンテンツ取得手段は、前記サーバ装置から前記コンテンツを取得し、
前記コンテンツ出力制御装置は、前記サーバ装置から前記配信情報を取得して前記設定状態出力制御手段により前記配信情報に基づく配信予定を前記出力手段で出力させ、前記操作信号に基づいて前記配信予定のコンテンツが選択されたことを認識すると、この選択されたコンテンツの前記出力形態情報を生成する出力形態情報生成手段を具備する
ことを特徴とするコンテンツ出力システム。
【国際調査報告】
2010023750.tif 000035
2010023750.tif 000036
2010023750.tif 000037
2010023750.tif 000038